(57)【要約】【課題】ＣｏＭＰ送受信技術を適用する場合でも、レートマッチングに必要な情報を効率的にシグナリングすること。【解決手段】ユーザ端末（ＵＥ）に対して複数の無線基地局装置（ｅＮＢ）が送信ポイントとなって協調マルチポイント送信するＣｏＭＰ送信をスケジューリングし、ＣｏＭＰ送信の送信形態に対応して必要なレートマッチングパターンがビットデータにマッピングされているテーブルに基づいて、物理下りリンク制御チャネルにレートマッチングパターンを組み込んだ下りリンク制御情報を生成し、ユーザ端末（ＵＥ）に対して物理下りリンク制御チャネルを送信すると共に物理下りリンク共有データチャネルを送信し、ユーザ端末（ＵＥ）で下りリンク制御情報に組み込まれるレートマッチングパターンを、無線基地局装置（ｅＮＢ）と同一内容のテーブルに基づいて特定する。【選択図】図１
2014007670.tif 000002
【特許請求の範囲】
【請求項１】
それぞれがセルを形成する複数の無線基地局装置と、前記各無線基地局装置に対して無線リンクを介して接続するユーザ端末とを備えた無線通信システムであって、
前記無線基地局装置は、前記ユーザ端末に対して他の無線基地局装置と共に送信ポイントとなって協調マルチポイント送信するＣｏＭＰ送信をスケジューリングするスケジューラと、ＣｏＭＰ送信の送信形態に対応して必要なレートマッチングパターンがビットデータにマッピングされているテーブルに基づいて、物理下りリンク制御チャネルに前記レートマッチングパターンを組み込んだ下りリンク制御情報を生成する生成部と、前記物理下りリンク制御チャネルを送信すると共に物理下りリンク共有データチャネルを送信する送信部とを具備し、
前記ユーザ端末は、前記物理下りリンク制御チャネルを受信すると共にＣｏＭＰ送信する全ての無線基地局装置から前記物理下りリンク共有データチャネルを受信する受信部と、受信した前記物理下りリンク制御チャネルに含まれた前記下りリンク制御情報に組み込まれている前記レートマッチングパターンを、前記無線基地局装置と同一内容のテーブルに基づいて特定する判定部と、特定した前記レートマッチングパターンを用いて前記下りリンク共有データチャネルのレートマッチングを行うレートマッチング部とを具備することを特徴とする無線通信システム。
【請求項２】
前記物理下りリンク制御チャネルの下りリンク制御情報に、前記物理下りリンク制御チャネルのセル識別情報が記述されるキャリアインジケータフィールドが定められ、
前記生成部は、前記キャリアインジケータフィールドに、前記レートマッチングパターンを示すビットデータが記述された前記テーブルに基づいて前記下りリンク制御情報を生成することを特徴とする請求項１記載の無線通信システム。
【請求項３】
前記無線基地局装置は、前記テーブルを生成するテーブル生成部と、生成した前記テーブルを前記ユーザ端末に送信するテーブル送信部とを具備し、前記ユーザ端末は、前記無線基地局装置から前記テーブルを受信するテーブル受信部を具備し、前記判定部は、受信した前記テーブルに基づいて前記レートマッチングパターンを特定することを特徴とする請求項２記載の無線通信システム。
【請求項４】
前記テーブル生成部は、前記スケジューラによるスケジューリング結果を反映した前記レートマッチングテーブルを生成することを特徴とする請求項３記載の無線通信システム。
【請求項５】
前記テーブル生成部は、所定数以下の送信ポイントによってＣｏＭＰ送信を行う場合に必要な前記レートマッチングパターンを含む前記レートマッチングテーブルを生成することを特徴とする請求項４記載の無線通信システム。
【請求項６】
前記テーブル生成部は、ＣｏＭＰ送信の特定の送信形態に必要な前記レートマッチングパターンを含む前記レートマッチングテーブルを生成することを特徴とする請求項４記載の無線通信システム。
【請求項７】
前記テーブル生成部は、ＭＢＳＦＮ（ＭＢＭＳ  Ｓｉｎｇｌｅ  Ｆｒｅｑｕｅｎｃｙ  Ｎｅｔｗｏｒｋ）サブフレームのフレーム構成に応じた前記レートマッチングパターンを含む前記レートマッチングテーブルを生成することを特徴とする請求項３記載の無線通信システム。
【請求項８】
前記テーブル生成部は、物理下りリンク制御チャネルが割り当てられるリソースを持たないキャリアタイプのサブフレームのフレーム構成に応じた前記レートマッチングパターンを含む前記レートマッチングテーブルを生成することを特徴とする請求項３記載の無線通信システム。
【請求項９】
前記無線基地局装置は、前記レートマッチング部によるレートマッチングに必要なレートマッチング属性を含む上位制御情報を生成する上位制御情報生成部を具備し、
前記上位制御情報生成部は、キャリアアグリゲーションが適用される場合に指定される前記上位制御情報の一部を変更して前記レートマッチング属性を含む前記上位制御情報を生成することを特徴とする請求項１記載の無線通信システム。
【請求項１０】
前記物理下りリンク制御チャネルの下りリンク制御情報に、前記物理下りリンク制御チャネルのセル識別情報に加えて前記レートマッチングパターンが記述される拡張キャリアインジケータフィールドが定められ、
前記生成部は、前記拡張キャリアインジケータフィールドに、前記セル識別情報及び前記レートマッチングパターンを示すビットデータが記述された前記テーブルに基づいて前記下りリンク制御情報を生成することを特徴とする請求項１又は請求項９記載の無線通信システム。
【請求項１１】
前記上位制御情報生成部は、キャリアアグリゲーションが適用される場合に指定されるセルインデックスの値を拡張した前記上位制御情報を生成することを特徴とする請求項１０記載の無線通信システム。
【請求項１２】
ユーザ端末が無線リンクを介して接続する無線基地局装置であって、
前記ユーザ端末に対して他の無線基地局装置と共に送信ポイントとなって協調マルチポイント送信するＣｏＭＰ送信をスケジューリングするスケジューラと、ＣｏＭＰ送信の送信形態に対応して必要なレートマッチングパターンがビットデータにマッピングされているテーブルに基づいて、物理下りリンク制御チャネルに前記レートマッチングパターンを組み込んだ下りリンク制御情報を生成する生成部と、前記物理下りリンク制御チャネルを送信すると共に物理下りリンク共有データチャネルを送信する送信部とを具備することを特徴とする無線基地局装置。
【請求項１３】
それぞれがセルを形成する複数の無線基地局装置に対して無線リンクを介して接続するユーザ端末であって、
前記無線基地局装置から物理下りリンク制御チャネルを受信すると共にＣｏＭＰ送信する全ての前記無線基地局装置から物理下りリンク共有データチャネルを受信する受信部と、受信した前記物理下りリンク制御チャネルに含まれた下りリンク制御情報に組み込まれているレートマッチングパターンを、予め準備されたテーブルに基づいて特定する判定部と、特定した前記レートマッチングパターンを用いて前記下りリンク共有データチャネルのレートマッチングを行うレートマッチング部とを具備し、
前記テーブルは、ＣｏＭＰ送信の送信形態に対応して必要なレートマッチングパターンがビットデータにマッピングされていることを特徴とするユーザ端末。
【請求項１４】
それぞれがセルを形成する複数の無線基地局装置と、前記各無線基地局装置に対して無線リンクを介して接続するユーザ端末とを備えた無線通信システムにおける通信制御方法であって、
前記ユーザ端末に対して前記複数の無線基地局装置が送信ポイントとなって協調マルチポイント送信するＣｏＭＰ送信をスケジューリングするステップと、ＣｏＭＰ送信の送信形態に対応して必要なレートマッチングパターンがビットデータにマッピングされているテーブルに基づいて、物理下りリンク制御チャネルに前記レートマッチングパターンを組み込んだ下りリンク制御情報を生成するステップと、前記物理下りリンク制御チャネルを送信すると共に物理下りリンク共有データチャネルを送信するステップと、前記ユーザ端末で前記下りリンク制御情報に組み込まれる前記レートマッチングパターンを、前記無線基地局装置と同一内容の前記テーブルに基づいて特定するステップとを具備することを特徴とする通信制御方法。
【発明の詳細な説明】
【技術分野】
【０００１】
本発明は、次世代移動通信システムにおける無線通信システム、無線基地局装置、ユーザ端末及び通信制御方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）ネットワークにおいては、周波数利用効率の向上、データレートの向上を目的として、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）やＨＳＵＰＡ（Ｈｉｇｈ  Ｓｐｅｅｄ  Ｕｐｌｉｎｋ  Ｐａｃｋｅｔ  Ａｃｃｅｓｓ）を採用することにより、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）をベースとしたシステムの特徴を最大限に引き出すことが行われている。このＵＭＴＳネットワークについては、さらなる高速データレート、低遅延などを目的としてロングタームエボリューション（ＬＴＥ：Ｌｏｎｇ  Ｔｅｒｍ  Ｅｖｏｌｕｔｉｏｎ）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥシステムでは、１．４ＭＨｚ〜２０ＭＨｚの可変帯域を用いて、下り回線で最大３００Ｍｂｐｓ及び上り回線で最大７５Ｍｂｐｓ程度の伝送レートを実現できる。また、ＵＭＴＳネットワークにおいては、さらなる広帯域化及び高速化を目的として、例えば、ＬＴＥアドバンスト又はＬＴＥエンハンスメント（以下、「ＬＴＥ−Ａ」と記す）と呼ばれるＬＴＥシステムの後継システムも検討されている。
【先行技術文献】
【非特許文献】
【０００４】
【非特許文献１】３ＧＰＰ，  ＴＲ２５．９１２  （Ｖ７．１．０），  “Ｆｅａｓｉｂｉｌｉｔｙ  ｓｔｕｄｙ  ｆｏｒ  Ｅｖｏｌｖｅｄ  ＵＴＲＡ  ａｎｄ  ＵＴＲＡＮ”，  Ｓｅｐｔ．  ２００６
【発明の概要】
【発明が解決しようとする課題】
【０００５】
ＬＴＥシステムに対して、更にシステム性能を向上させるための有望な技術の１つとして、セル間直交化が提案されている。例えば、ＬＴＥ−Ａシステムでは、上下リンクとも直交マルチアクセスによりセル内の直交化が実現されている。すなわち、下りリンクでは、周波数領域においてユーザ端末ＵＥ（Ｕｓｅｒ  Ｅｑｕｉｐｍｅｎｔ）間が直交化されている。セル間は、Ｗ−ＣＤＭＡと同様、１セル周波数繰り返しによる干渉ランダム化が図られている。
【０００６】
ＬＴＡ−Ａ（Ｒｅｌ．１１）においては、セル間直交化を実現するための技術として、協調マルチポイント送受信（ＣｏＭＰ：Ｃｏｏｒｄｉｎａｔｅｄ  Ｍｕｌｔｉ−Ｐｏｉｎｔ  ｔｒａｎｓｍｉｓｓｉｏｎ／ｒｅｃｅｐｔｉｏｎ）技術の導入が検討されている。このＣｏＭＰ送受信技術では、１つ或いは複数のユーザ端末ＵＥに対して複数のセルが協調して送受信の信号処理を行う。このようなＣｏＭＰ送受信技術の適用により、特にセル端に位置するユーザ端末ＵＥのスループット特性の改善が期待される。
【０００７】
ＣｏＭＰ送信には、１つのユーザ端末ＵＥに対して複数のセルから同時に共有データチャネルを送信するジョイント送信（Ｊｏｉｎｔ  Ｔｒａｎｓｍｉｓｓｉｏｎ）、ユーザ端末ＵＥに対する送信セルをダイナミックに切り替えてデータを送信するＤＰＳ（Ｄｙｎａｍｉｃ  Ｐｏｉｎｔ  Ｓｅｌｅｃｔｉｏｎ）といった複数の送信形態がある。これらのＪＴ又はＤＰＳにおいて、協調してデータ送信を行う複数のセルは、ＣｏＭＰセットと呼ばれる。
【０００８】
ＣｏＭＰ送信されたデータを受信するユーザ端末ＵＥは、受信データのビットレートを微調整するためにレートマッチングを行う必要がある。ここで、レートマッチングとは、トランスポートチャネルの復号化ビットに対して繰返し処理又は穴あけ削除（パンクチャリング）処理を行うことをいう。この場合において、ＣｏＭＰセットを構成する各セルにおいては、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）が割り当てられるリソースエレメント（ＲＥ）の配置（より具体的には、数及び位置）が異なる。
【０００９】
例えば、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）は、セル毎に異なるシンボル数が設定され得る（サブフレームの先頭の１ＯＦＤＭシンボル〜３ＯＦＤＭシンボル）。このため、ＰＤＣＣＨのシンボル数によって、ＰＤＳＣＨが割り当てられるＲＥの数が増減する。また、ＣＲＳ（Ｃｏｍｍｏｎ  Ｒｅｆｅｒｅｎｃｅ  Ｓｉｇｎａｌ）は、セルＩＤ（セルインデックス）に基づいて設定されるＲＥの位置が変化する。このため、ＣｏＭＰセットを構成するセルのセルＩＤに応じてＰＤＳＣＨが割り当てられるＲＥの位置が変化する。
【００１０】
ユーザ端末ＵＥにおいて、適切にレートマッチングを行うためには、ＣｏＭＰセットを構成するセル毎に、ＰＤＳＣＨが割り当てられるＲＥ（ＰＤＳＣＨの割当て領域）を識別する必要がある。このため、無線基地局装置は、ユーザ端末ＵＥに対して、セル毎のＰＤＳＣＨの割当て領域を識別するための情報を含む、レートマッチングに必要な情報（レートマッチング情報）を通知することが好ましい。しかしながら、レートマッチング情報は、ＣｏＭＰ形態に対応して変化する。このため、ユーザ端末ＵＥへ通知すべきレートマッチング情報は複雑化する。しかも、ＣｏＭＰ送信においては、異なる周波数帯域に対して別のＣｏＭＰセットを設定することも可能である。この場合、ユーザ端末ＵＥへ通知すべきレートマッチング情報は、益々複雑化する。
【００１１】
本発明は、かかる実情に鑑みてなされたものであり、ＣｏＭＰ送受信技術を適用する場合でも、レートマッチングに必要な情報を効率的にシグナリングできる無線通信システム、無線基地局装置、ユーザ端末及び通信制御方法を提供することを目的とする。
【課題を解決するための手段】
【００１２】
本発明の無線通信システムは、それぞれがセルを形成する複数の無線基地局装置と、前記各無線基地局装置に対して無線リンクを介して接続するユーザ端末とを備えた無線通信システムであって、前記無線基地局装置は、前記ユーザ端末に対して他の無線基地局装置と共に送信ポイントとなって協調マルチポイント送信するＣｏＭＰ送信をスケジューリングするスケジューラと、ＣｏＭＰ送信の送信形態に対応して必要なレートマッチングパターンがビットデータにマッピングされているテーブルに基づいて、物理下りリンク制御チャネルに前記レートマッチングパターンを組み込んだ下りリンク制御情報を生成する生成部と、前記物理下りリンク制御チャネルを送信すると共に物理下りリンク共有データチャネルを送信する送信部とを具備し、前記ユーザ端末は、前記物理下りリンク制御チャネルを受信すると共にＣｏＭＰ送信する全ての無線基地局装置から前記物理下りリンク共有データチャネルを受信する受信部と、受信した前記物理下りリンク制御チャネルに含まれた前記下りリンク制御情報に組み込まれている前記レートマッチングパターンを、前記無線基地局装置と同一内容のテーブルに基づいて特定する判定部と、特定した前記レートマッチングパターンを用いて前記下りリンク共有データチャネルのレートマッチングを行うレートマッチング部とを具備することを特徴とする。
【００１３】
本発明の無線基地局装置は、ユーザ端末が無線リンクを介して接続する無線基地局装置であって、前記ユーザ端末に対して他の無線基地局装置と共に送信ポイントとなって協調マルチポイント送信するＣｏＭＰ送信をスケジューリングするスケジューラと、ＣｏＭＰ送信の送信形態に対応して必要なレートマッチングパターンがビットデータにマッピングされているテーブルに基づいて、物理下りリンク制御チャネルに前記レートマッチングパターンを組み込んだ下りリンク制御情報を生成する生成部と、前記物理下りリンク制御チャネルを送信すると共に物理下りリンク共有データチャネルを送信する送信部とを具備することを特徴とする。
【００１４】
本発明のユーザ端末は、それぞれがセルを形成する複数の無線基地局装置に対して無線リンクを介して接続するユーザ端末であって、前記無線基地局装置から物理下りリンク制御チャネルを受信すると共にＣｏＭＰ送信する全ての前記無線基地局装置から物理下りリンク共有データチャネルを受信する受信部と、受信した前記物理下りリンク制御チャネルに含まれた下りリンク制御情報に組み込まれているレートマッチングパターンを、予め準備されたテーブルに基づいて特定する判定部と、特定した前記レートマッチングパターンを用いて前記下りリンク共有データチャネルのレートマッチングを行うレートマッチング部とを具備し、前記テーブルは、ＣｏＭＰ送信の送信形態に対応して必要なレートマッチングパターンがビットデータにマッピングされていることを特徴とする。
【００１５】
本発明の通信制御方法は、それぞれがセルを形成する複数の無線基地局装置と、前記各無線基地局装置に対して無線リンクを介して接続するユーザ端末とを備えた無線通信システムにおける通信制御方法であって、前記ユーザ端末に対して前記複数の無線基地局装置が送信ポイントとなって協調マルチポイント送信するＣｏＭＰ送信をスケジューリングするステップと、ＣｏＭＰ送信の送信形態に対応して必要なレートマッチングパターンがビットデータにマッピングされているテーブルに基づいて、物理下りリンク制御チャネルに前記レートマッチングパターンを組み込んだ下りリンク制御情報を生成するステップと、前記物理下りリンク制御チャネルを送信すると共に物理下りリンク共有データチャネルを送信するステップと、前記ユーザ端末で前記下りリンク制御情報に組み込まれる前記レートマッチングパターンを、前記無線基地局装置と同一内容の前記テーブルに基づいて特定するステップとを具備することを特徴とする。
【発明の効果】
【００１６】
本発明によれば、ＣｏＭＰ送受信技術を適用する場合でも、レートマッチングに必要な情報を効率的にシグナリングすることが可能となる。
【図面の簡単な説明】
【００１７】
【図１】ＣｏＭＰ送受信（協調マルチポイント送受信）技術の説明図である。
【図２】ＣｏＭＰ送受信技術が適用される場合のレートマッチング対象の説明図である。
【図３】ＭＢＳＦＮ又はＮｅｗ  ｃａｒｒｉｅｒタイプのセルを含んでジョイント送信される場合のレートマッチング対象の説明図である。
【図４】システム構成の一例を説明するための図である。
【図５】クロスキャリアスケジューリングの概念及びそれに用いられるＤＣＩフォーマット及びＣＩＦテーブルの説明図である。
【図６】ＣｏＭＰ候補セルが３つの場合のレートマッチングテーブルの一例を示す図である。
【図７】特定のセルのＣＲＳによる干渉を除去しながら、他の協調セルからＰＤＳＣＨを送信する場合のフレーム構成の一例を示す図である。
【図８】スケジューリング後に生成されるレートマッチングテーブルの一例を示す図である。
【図９】特定のＣｏＭＰ送信形態（ＣｏＭＰ送信（ＤＰＳ））に限定したレートマッチングテーブルの一例を示す図である。
【図１０】特定のＣｏＭＰ送信形態（ＣｏＭＰ送信（ＪＴ））に限定したレートマッチングテーブルの一例を示す図である。
【図１１】ＣｏＭＰ候補セルが２つの場合のレートマッチングテーブルの一例を示す図である。
【図１２】特定のＣｏＭＰ送信形態に限定したレートマッチングテーブルの一例を示す図である。
【図１３】ＣｏＭＰ及びＣＡが適用される環境下でＲＲＣシグナリングにより通知される制御情報の一例を示す図である。
【図１４】ＣｏＭＰ及びＣＡが適用される環境下におけるセルに割り当てられるセルインデックスの説明図である。
【図１５】拡張されたＣＩＦを含むレートマッチングテーブルの一例を示す図である。
【図１６】無線通信システムのシステム構成の説明図である。
【図１７】無線基地局装置の全体構成の説明図である。
【図１８】ユーザ端末の全体構成の説明図である。
【図１９】無線基地局装置の機能ブロック図である。
【図２０】ユーザ端末の機能ブロック図である。
【発明を実施するための形態】
【００１８】
以下、本発明の実施の形態について添付図面を参照して詳細に説明する。
まず、図１を参照しながら、ＬＴＥ−Ａ（Ｒｅｌ．１１）において導入が検討されているＣｏＭＰ送受信技術について説明する。図１は、ＣｏＭＰ送受信（協調マルチポイント送受信）技術を説明するための図である。
【００１９】
図１Ａは、ＣｏＭＰ送信の１つであるジョイント送信（以下、適宜「ＣｏＭＰ送信（ＪＴ）」という）の概念図である。図１Ａに示すように、ジョイント送信では、１サブフレームにおいて、１つのユーザ端末ＵＥに対して複数セルから同一の共有データチャネル（ＰＤＳＣＨ）を同時送信する。例えば、ユーザ端末ＵＥは、１サブフレーム内で、セル０、セル１及びセル２の全ての送信セルからＰＤＳＣＨを受信する。この場合、ユーザ端末ＵＥは、セル０、セル１及びセル２で共用するＰＤＣＣＨに基づいて、セル０、セル１及びセル２からジョイント送信されたＰＤＳＣＨを受信する。
【００２０】
図１Ｂは、ＣｏＭＰ送信の１つであるＤＰＳ（以下、適宜「ＣｏＭＰ送信（ＤＰＳ）」という）の概念図である。図１Ｂに示すように、ＤＰＳでは、１つのユーザ端末ＵＥに対する送信セルをダイナミックに切り替えてＰＤＳＣＨを送信する。この場合、ユーザ端末ＵＥは、セル０、セル１及びセル２からそれぞれ送信されるＰＤＣＣＨに基づいて、セル０、セル１及びセル２からそれぞれ送信されるＰＤＳＣＨを受信する。
【００２１】
これらのＣｏＭＰ送受信技術は、セル端に存在するユーザ端末ＵＥのスループットの改善に有効であることが確認されている。無線基地局装置ｅＮＢは、ユーザ端末ＵＥから各セルの品質情報をフィードバックさせる。そして、無線基地局装置ｅＮＢは、セル毎の品質情報（例えば、ＲＳＲＰ（Ｒｅｆｅｒｅｎｃｅ  Ｓｉｇｎａｌ  Ｒｅｃｅｉｖｅｄ  Ｐｏｗｅｒ）、ＲＳＲＱ（Ｒｅｆｅｒｅｎｃｅ  Ｓｉｇｎａｌ  Ｒｅｃｅｉｖｅｄ  Ｑｕａｌｉｔｙ）又は、ＳＩＮＲ（Ｓｉｇｎａｌ  Ｉｎｔｅｒｆｅｒｅｎｃｅ  ｐｌｕｓ  Ｎｏｉｓｅ  Ｒａｔｉｏ））の差を求める。
【００２２】
セル間の品質情報の差が予め定めた閾値以下である場合（すなわち、セル間の品質差が小さい場合）、無線基地局装置ｅＮＢは、ユーザ端末ＵＥがセル端に存在すると判断する。この場合、無線基地局装置ｅＮＢは、ＣｏＭＰ送信を適用する。一方、セル間の品質情報の差が閾値を超える場合（すなわち、セル間の品質差が大きい場合）、いずれかのセルを形成している無線基地局装置ｅＮＢに近いので、無線基地局装置ｅＮＢは、受信品質の高いセルの中央付近にユーザ端末ＵＥが存在すると判断する。この場合は、ＣｏＭＰ送信を適用しなくても高い受信品質を維持できる。
【００２３】
なお、ＣｏＭＰ送信が適用される場合、ユーザ端末ＵＥは、複数のセル毎のチャネル状態情報を無線基地局装置ｅＮＢ（サービングセルの無線基地局装置ｅＮＢ）にフィードバックする。一方、ＣｏＭＰ送信が適用されない場合、ユーザ端末ＵＥは、サービングセルのチャネル状態情報を無線基地局装置ｅＮＢにフィードバックする。
【００２４】
上述したように、ＣｏＭＰ送信されたデータを受信するユーザ端末ＵＥは、受信データに対してレートマッチングを行う。ここで、図２を参照しながら、ＣｏＭＰ送受信技術が適用される場合のレートマッチングの対象について説明する。図２Ａにおいては、ＣｏＭＰセットを構成する各セル（セル０〜セル２）のサブフレームのフレーム構成の一例を示している。図２Ｂにおいては、図２Ａに示すセル０及びセル１からジョイント送信される場合のレートマッチング対象を示している。なお、図２に示すサブフレームにおいては、横軸に時間を示し、縦軸に周波数を示している。図３においても同様である。
【００２５】
図２Ａに示すように、セル０〜セル２のサブフレームにおいては、ＰＤＣＣＨが割り当てられる領域（ＰＤＣＣＨの割当て領域）がそれぞれ異なる。図２Ａにおいては、ＰＤＣＣＨの割当て領域として、セル０では第１ＯＦＤＭ（直交周波数分割多元接続）シンボルが割り当てられ、セル１では第１、第２ＯＦＤＭシンボルが割り当てられ、セル２では第１〜第３ＯＦＤＭシンボルが割り当てられた場合について示している。また、セル０〜セル２のサブフレームにおいては、セルＩＤに応じて異なるＲＥにＣＲＳが配置されている。ＰＤＳＣＨは、セル０〜セル２のサブフレームのＰＤＣＣＨ及びＣＲＳが配置されていないＲＥに割り当てられる。すなわち、ＰＤＳＣＨの割当て領域は、ＣｏＭＰセットを構成するセル毎に異なっている。
【００２６】
各セルからデータを受信する場合、ユーザ端末ＵＥは、各セルのサブフレームにおいてＰＤＳＣＨが割り当てられたＲＥを対象としてレートマッチングを行う。例えば、セル０からデータを受信する場合、ユーザ端末ＵＥは、ＰＤＣＣＨが割り当てられるＲＥ（第１ＯＦＤＭシンボルのＲＥ）と、ＣＲＳが割り当てられるＲＥ以外のＲＥを対象としてレートマッチングを行う。なお、セル１、セル２からデータを受信する場合においても同様である。
【００２７】
ここで、セル０及びセル１からユーザ端末ＵＥにジョイント送信する場合のレートマッチング対象となるＰＤＳＣＨについて考える。セル０及びセル１からジョイント送信される場合、図２Ｂに示すように、ＰＤＳＣＨは、セル０及びセル１のいずれのセルにおいても、ＰＤＣＣＨ及びＣＲＳが割り当てられていないＲＥに割り当てられる。このため、ユーザ端末ＵＥは、ＰＤＣＣＨが割り当てられるＲＥ（第１ＯＦＤＭシンボル及び第２ＯＦＤＭシンボルのＲＥ）と、ＣＲＳが割り当てられるＲＥ以外のＲＥを対象としてレートマッチングを行う。
【００２８】
ところで、ＬＴＥ（Ｒｅｌ．９）においては、同報型配信を実現するベアラサービスであるＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）が導入されている。このＭＢＭＳでは、ＭＢＳＦＮ（ＭＢＭＳ  Ｓｉｎｇｌｅ  Ｆｒｅｑｕｅｎｃｙ  Ｎｅｔｗｏｒｋ）送信方式がサポートされている。このＭＢＳＦＮ送信方式は、ネットワークを構成する複数の無線基地局装置ｅＮＢが、同一信号を一斉同期送信することで、ユーザ端末ＵＥが各無線基地局装置ｅＮＢから送信された信号をＲＦ（Ｒａｄｉｏ  Ｆｒｅａｑｕｅｎｃｙ）合成できる方式である。
【００２９】
また、Ｒｅｌ．１１以降のＬＴＥシステムにおいては、フレーム構成として、サブフレームにおいて既存のＰＤＣＣＨの割当て領域を持たないキャリアタイプ（Ｎｅｗ  ｃａｒｒｉｅｒ）が検討されている。このＮｅｗ  ｃａｒｒｉｅｒタイプのサブフレームにおいては、ＣＲＳを割り当てず、全てのＲＥにＰＤＳＣＨを割り当てることが想定される。なお、このＮｅｗ  ｃａｒｒｉｅｒタイプのサブフレームは、Ａｄｄｉｔｉｏｎａｌ  ｃａｒｒｉｅｒタイプのサブフレームと呼ぶこともできる。
【００３０】
ここで、図３を参照しながら、ＭＢＳＦＮ又はＮｅｗ  ｃａｒｒｉｅｒタイプが適用されるセルを含んでジョイント送信される場合のレートマッチングの対象について説明する。図３は、ＭＢＳＦＮ又はＮｅｗ  ｃａｒｒｉｅｒタイプのセルを含んでジョイント送信される場合のレートマッチング対象の説明図である。図３Ａにおいては、ＭＢＳＦＮサブフレームのフレーム構成を示している。図３Ｂにおいては、Ｎｅｗ  ｃａｒｒｉｅｒタイプサブフレームのフレーム構成を示している。図３Ｃは、ＭＢＳＦＮのサブフレーム又はＮｅｗ  ｃａｒｒｉｅｒタイプのセルを含んでジョイント送信された場合のレートマッチング対象となるＰＤＳＣＨを示している。
【００３１】
ＭＢＳＦＮサブフレームでは、図３Ａに示すように、ＰＤＣＣＨの割当て領域として、サブフレームの先頭から最大２ＯＦＤＭシンボルが定められている。図３Ａにおいては、１ＯＦＤＭシンボルがＰＤＣＣＨの割当て領域として指定された場合について示している。また、ＭＢＳＦＮサブフレームでは、ＰＤＣＣＨの割当て領域以外のＲＥがＰＤＳＣＨの割当て領域として定められている。しかも、このＰＤＳＣＨの割当て領域には、ＣＲＳが割り当てられることがない。このため、ＭＢＳＦＮサブフレームでは、第２ＯＦＤＭシンボル又は第３ＯＦＤＭシンボル以降の全てのＲＥにＰＤＳＣＨを割り当てることができる。
【００３２】
なお、ＭＢＳＦＮサブフレームは、無線フレームを構成するサブフレーム＃０〜＃９のうち、サブフレーム＃０、＃４、＃５及び＃９を除くサブフレームに選択的に設定される。すなわち、無線基地局装置ｅＮＢは、サブフレーム＃１〜＃３、＃６〜＃８に選択的にＭＢＳＦＮサブフレームを設定できる。
【００３３】
一方、Ｎｅｗ  ｃａｒｒｉｅｒタイプサブフレームでは、図３Ｂに示すように、ＰＤＣＣＨの割当て領域が設けられず、ＣＲＳが割り当てられないことが想定される。このため、Ｎｅｗ  ｃａｒｒｉｅｒタイプサブフレームでは、サブフレームに含まれる全てのＲＥにＰＤＳＣＨを割り当てることができる。
【００３４】
ここで、これらのＭＢＳＦＮサブフレーム又はＮｅｗ  ｃａｒｒｉｅｒタイプサブフレームがセル２に設定されたものと仮定する。そして、このセル２及び図２に示すセル１からユーザ端末ＵＥにジョイント送信する場合のレートマッチング対象となるＰＤＳＣＨについて説明する。セル１及びセル２からジョイント送信される場合、図３Ｃに示すように、ＰＤＳＣＨは、セル１及びセル２のいずれのセルにおいても、ＰＤＣＣＨ及びＣＲＳが割り当てられていないＲＥに割り当てられる。この場合、セル２のＭＢＳＦＮサブフレーム及びＮｅｗ  ｃａｒｒｉｅｒタイプサブフレームには、２ＯＦＤＭシンボル以降のＲＥにＰＤＣＣＨ及びＣＲＳが割り当てられていない。このため、セル１のサブフレームでＰＤＳＣＨが割り当てられたＲＥがレートマッチングの対象とされる。
【００３５】
ところで、ＬＴＥ−Ａ（Ｒｅｌ．１０）においては、周波数帯域が異なる複数のコンポーネントキャリア（ＣＣ：Ｃｏｍｐｏｎｅｎｔ  Ｃａｒｒｉｅｒ）を束ねて帯域拡張するための技術として、キャリアアグリゲーション（ＣＡ：Ｃａｒｒｉｅｒ  Ａｇｇｒｉｇａｔｉｏｎ）が採用されている。また、ＬＴＥ−Ａ（Ｒｅｌ．１０）においては、ＣＡによって複数のＣＣが用いられる場合、複数のＣＣ（１つのプライマリセル＋最大４つのセカンダリセル）のＰＤＳＣＨに対して、１プライマリセルのＰＤＣＣＨからスケジューリングを行うクロスキャリアスケジューリングが採用されている。なお、ＰＤＣＣＨによって送信される下りリンク制御情報の詳細は、ＤＣＩ（Ｄｏｗｎｌｉｎｋ  Ｃｏｎｔｒｏｌ  Ｉｎｆｏｒｍａｔｉｏｎ）フォーマットとして定められている。
【００３６】
クロスキャリアスケジューリングが適用される場合、プライマリセルにおいてＰＤＣＣＨの割当て領域（先頭ＯＦＤＭシンボルから最大３ＯＦＤＭシンボルまでの無線リソース）には、セカンダリセルのＰＤＣＣＨのＤＣＩが割り当てられる。この場合、どのセルのＰＤＳＣＨを受信するためのＰＤＣＣＨであるかを識別可能にするため、ＤＣＩには、セルインデックスを示すＣＩＦ（Ｃｅｌｌ  Ｉｎｄｅｘ  Ｆｉｅｌｄ）が規定されている。
【００３７】
ここで、図４Ａに示すシステム構成（ＨｅｔＮｅＴ環境）においてＣＡを適用する場合について考える。図４Ａに示す無線通信システムには、広範囲のカバレッジエリアを有するマクロセル（セル０）と、マクロセル（セル０）のカバレッジエリア内に局所的なカバレッジエリアを有するピコセル（セル１）とが配置されている。なお、ピコセル（セル１）は、マクロセル（セル０）よりも送信電力が小さいので、小電力セルと呼ぶこともできる。ここでは、図４Ｂに示すように、マクロセル（セル０）に周波数帯域１が割り当てられ、ピコセル（セル１）に周波数帯域１とは異なる周波数帯域２が割り当てられるものとする。
【００３８】
図４Ａに示すシステム構成において、ユーザ端末ＵＥは、まず、通信（ＲＲＣ  Ｃｏｎｎｅｃｔｉｏｎ）を確立するために、プライマリセル（Ｐｃｅｌｌ）における無線基地局装置ｅＮＢへ自らの端末能力（ＵＥ  Ｃａｐａｂｉｌｉｔｙ）を通知する。プライマリセルの無線基地局装置ｅＮＢは、通知された端末能力に基づいて、接続するユーザ端末ＵＥの通信能力を把握する。ここで、ユーザ端末ＵＥがＣＡに対応しており、複数のＣＣを用いて通信を行う場合には、無線基地局装置ｅＮＢは、以下の５つの情報を含む制御情報をＲＲＣ（Ｒａｄｉｏ  Ｒｅｓｏｕｒｃｅ  Ｃｏｎｔｒｏｌ）シグナリングで通知する。
・セカンダリセル（Ｓｃｅｌｌ）インデックス
・物理セルＩＤ及び下りリンクキャリア周波数
・ＣＲＳポート番号
・ＭＢＳＦＮサブフレーム構成及びサブフレームオフセット
・ＰＤＳＣＨスタートシンボル
【００３９】
複数セル（セル０、セル１）のＰＤＳＣＨに対して１つのセル（セル０）からスケジューリングを行う場合（クロスキャリアスケジューリング）、図５Ａに示すように、各セルから送信されるＰＤＳＣＨに対するＰＤＣＣＨ（ＤＣＩ）を、プライマリセルとなるセル０のＰＤＣＣＨ用リソースを用いて送信することができる。
【００４０】
クロスキャリアスケジューリングにおいては、プライマリセルのＰＤＣＣＨ用リソースに集約されて送信される複数セルのＰＤＣＣＨ（ＤＣＩ）が、どのセルのＰＤＣＣＨであるかを識別する必要がある。そこで、ＰＤＣＣＨが対応するセルを識別するためのＣＩＦが、各セルのＰＤＣＣＨのＤＣＩに付加されている。これにより、ユーザ端末ＵＥは、ＣＩＦを構成するビット情報に基づいて、ＰＤＣＣＨが対応するセルを識別することができる。
【００４１】
すなわち、無線基地局装置ｅＮＢとユーザ端末ＵＥとで、図５Ｃに示すような共通のＣＩＦテーブルを保持しておき、無線基地局装置ｅＮＢから通知されるＣＩＦのビット情報に基づいてＰＤＣＣＨのセルを特定することができる。図５Ｂは、ＰＤＣＣＨに含まれるＤＣＩフォーマットの概念図であり、ＣＡにおけるセルを示すビットデータがＣＩＦに記述された様子を示している。なお、ＣＩＦには、図５に示すように、３ビットが割り当てられている。
【００４２】
例えば、図５Ｃに示すＣＩＦテーブルによれば、受信したＰＤＣＣＨのＤＣＩに含まれるＣＩＦにビット情報（０００）が指定されている場合、ユーザ端末ＵＥは、そのＰＤＣＣＨが、セル０のＰＤＳＣＨを受信するためのＰＤＣＣＨであると認識できる。一方、受信したＰＤＣＣＨのＤＣＩに含まれるＣＩＦにビット情報（００１）が指定されている場合、ユーザ端末ＵＥは、そのＰＤＣＣＨが、セル１のＰＤＳＣＨを受信するためのＰＤＣＣＨであると認識できる。
【００４３】
上述したように、ＣｏＭＰ送受信技術が適用される場合、ユーザ端末ＵＥは、受信データのビットレートを微調整するためにレートマッチングを行う必要がある。このため、無線基地局装置ｅＮＢは、レートマッチングに必要な情報（レートマッチング情報）を通知することが好ましい。しかしながら、ユーザ端末ＵＥに対するレートマッチング情報の通知に関しては定められていない。本発明者等は、ＣｏＭＰ送受信技術が適用される場合においても、ＰＤＣＣＨに規定されるＤＣＩを使用することでレートマッチング情報をユーザ端末ＵＥに通知できることに着目し、本発明に至った。
【００４４】
すなわち、本発明の骨子は、ＣｏＭＰ送受信技術が適用される場合、無線基地局装置ｅＮＢにおいて、ＣｏＭＰ送信形態に対応して必要なレートマッチングパターンがビットデータにマッピングされているレートマッチングテーブルに基づいて、ＰＤＣＣＨにレートマッチングパターンを組み込んだＤＣＩを生成し、このＰＤＣＣＨを送信すると共にＰＤＳＣＨを送信し、ユーザ端末ＵＥでＤＣＩに組み込まれているレートマッチングパターンを、無線基地局装置ｅＮＢと同一内容のレートマッチングテーブルに基づいて特定するものである。
【００４５】
本発明によれば、ＣｏＭＰ送信形態に対応するレートマッチングパターンを組み込んだＤＣＩを含むＰＤＣＣＨがユーザ端末ＵＥに送信される。そして、ＤＣＩに組み込まれたレートマッチングパターンが、無線基地局装置ｅＮＢと同一内容のレートマッチングテーブルに基づいて特定される。このため、ＣｏＭＰ送受信技術を適用する場合でも、レートマッチングに必要な情報を効率的にシグナリングすることが可能となる。
【００４６】
以下、本実施の形態に係る無線通信システムについて具体的に説明する。図１に示すシステム構成において、ユーザ端末ＵＥは、まず、制御チャネル（ＲＲＣ  Ｃｏｎｎｅｃｔｉｏｎ）を確立するために、プライマリセル（サービングセル、セル０）における無線基地局装置ｅＮＢへ自らの端末能力（ＵＥ  Ｃａｐａｂｉｌｉｔｙ）を通知する。また、ユーザ端末ＵＥは、生成したチャネル品質情報（ＣＱＩ：Ｃｈａｎｎｅｌ  Ｑｕａｌｉｔｙ  Ｉｎｄｉｃａｔｏｒ）を無線基地局装置ｅＮＢにフィードバックする。
【００４７】
無線基地局装置ｅＮＢは、通知された端末能力に基づいて、接続するユーザ端末ＵＥの通信能力を把握する。ユーザ端末ＵＥがＣｏＭＰ送受信に対応している場合には、無線基地局装置ｅＮＢは、ユーザ端末ＵＥにメジャメント候補セルをＲＲＣ（Ｒａｄｉｏ  Ｒｅｓｏｕｒｃｅ  Ｃｏｎｔｒｏｌ）プロトコルの制御信号によって通知する。図１に示すシステム構成の場合、メジャメント候補セルとしてセル０〜セル２の３つのセルが通知される。ユーザ端末ＵＥは、各メジャメント候補セルのＲＳＲＰなどを測定し、無線基地局装置ｅＮＢに対して、メジャメントレポート（測定報告）結果を、ハイヤレイヤシグナリング（例えば、ＲＲＣシグナリング）で報告する。
【００４８】
無線基地局装置ｅＮＢは、メジャメントレポート結果に基づいて、メジャメント候補セルの中からＣｏＭＰ候補セルを決定する。このＣｏＭＰ候補セルには、ＣｏＭＰ送信（ＤＰＳ）において送信ポイント（ＴＰ：Ｔｒａｎｓｍｉｔｔｉｏｎ  Ｐｏｉｎｔ）となる個々の協調セル、並びに、ＣｏＭＰのジョイント送信（ＪＴ）において送信ポイント（ＴＰ）となる複数セルの組み合わせを示すＣｏＭＰセットが含まれる。そして、無線基地局装置ｅＮＢは、ＣｏＭＰ候補セルにおける個々の協調セル（サービングセルを含む）及びＣｏＭＰセットに対応するレートマッチング情報を、ＣＩＦを構成するビット情報に関連付けたレートマッチングテーブルを生成する。
【００４９】
このレートマッチングテーブルにおいては、レートマッチング情報がレートマッチングパターンとして記述される。なお、このレートマッチングテーブルは、例えば、ＲＲＣシグナリングによって、ユーザ端末ＵＥにシグナリングされる。これにより、無線基地局装置ｅＮＢとユーザ端末ＵＥとの間でレートマッチングテーブルが共有される。なお、無線基地局装置ｅＮＢからユーザ端末ＵＥへのシグナリングについては、ＲＲＣシグナリングに限定されない。例えば、報知信号（Ｐｈｙｓｉｃａｌ  Ｂｒｏａｄｃａｓｔ  Ｃｈａｎｎｅｌ）を用いて送信されるＭＩＢ（Ｍａｓｔｅｒ  Ｉｎｆｏｒｍａｔｉｏｎ  Ｂｌｏｃｋ）、若しくはデータチャネルに多重されるＳＩＢ（Ｓｙｓｔｅｍ  Ｉｎｆｏｒｍａｔｉｏｎ  Ｂｌｏｃｋ）で送られてもよいし、ＭＡＣ（Ｍｅｄｉｕｍ  Ａｃｃｅｓｓ  Ｃｏｎｔｒｏｌ）信号で送ってもよい。また、ＰＤＣＣＨを用いて送信してもよい。
【００５０】
ここで、ＣｏＭＰ候補セル（セル０〜セル２）が３つの場合のレートマッチングテーブルの一例について説明する。図６は、ＣｏＭＰ候補セルが３つの場合のレートマッチングテーブルの一例を示す図である。図６に示すレートマッチングテーブルにおいては、ＣＩＦを構成するビット情報に関連付けて、レートマッチング情報としてのレートマッチングパターン及びＣｏＭＰ送信形態が登録されている。なお、ＣｏＭＰ送信形態においては、ジョイント送信が選択される場合にＭＢＳＦＮサブフレーム又はＮｅｗ  ｃａｒｒｉｅｒタイプサブフレームを用いてＰＤＳＣＨを送信する送信ポイント（ＴＰ）を括弧内に示している。
【００５１】
図６に示すレートマッチングパターン（以下、適宜「パターン」と略す）について、図２及び図３を参照しながら説明する。なお、ここでは、ＣｏＭＰ候補セルであるセル０〜セル２のサブフレームが図２に示すフレーム構成を有するものとする。パターン“ＴＰ０”は、図２に示すセル０のＰＤＳＣＨの割当て領域をレートマッチング対象とするパターンである。同様に、パターン“ＴＰ１”、“ＴＰ２”は、それぞれ図２に示すセル１、セル２のＰＤＳＣＨの割当て領域をレートマッチング対象とするパターンである。
【００５２】
また、パターン“ＴＰ０＆ＴＰ１”は、図２Ｂに示すＰＤＳＣＨの割当て領域をレートマッチング対象とするパターンである。すなわち、セル０及びセル１のいずれのセルにおいても、ＰＤＣＣＨ及びＣＲＳが割り当てられていないリソースがレートマッチング対象とされる。同様に、パターン“ＴＰ０＆ＴＰ２”は、セル０及びセル２のいずれのセルにおいても、ＰＤＣＣＨ及びＣＲＳが割り当てられていないリソースをレートマッチング対象とするパターンである。パターン“ＴＰ１＆ＴＰ２”は、セル１及びセル２のいずれのセルにおいても、ＰＤＣＣＨ及びＣＲＳが割り当てられていないリソースをレートマッチング対象とするパターンである。
【００５３】
さらに、パターン“ＴＰ０＆ＴＰ１＆ＴＰ２”は、セル０、セル１及びセル２のいずれのセルにおいても、ＰＤＣＣＨ及びＣＲＳが割り当てられていないリソースをレートマッチング対象とするパターンである。パターン“Ｎｏｎ−ＣＲＳ”は、図３Ａ又は図３Ｂに示すＰＤＳＣＨの割当て領域をレートマッチング対象とするパターンである。すなわち、ＭＢＳＦＮ又はＮｅｗ  ｃａｒｒｉｅｒタイプのいずれのセルにおいても、ＰＤＣＣＨが割り当てられていないリソースがレートマッチング対象とされる。
【００５４】
図６に示すレートマッチングテーブルにおいては、パターン“ＴＰ０”、“ＴＰ１”及び“ＴＰ２”がＣＩＦを構成するビット情報（０００）、（００１）及び（０１０）に関連付けられている。また、パターン“ＴＰ０＆ＴＰ１”、“ＴＰ０＆ＴＰ２”及び“ＴＰ１＆ＴＰ２”がＣＩＦを構成するビット情報（０１１）、（１００）及び（１０１）に関連付けられている。さらに、パターン“ＴＰ０＆ＴＰ１＆ＴＰ２”及び“Ｎｏｎ−ＣＲＳ”がＣＩＦを構成するビット情報（１１０）及び（１１１）に関連付けられている。
【００５５】
パターン“ＴＰ０”は、ＣｏＭＰ送信（ＤＰＳ）が適用される場合において、セル０（ＴＰ０）のみからＰＤＳＣＨを送信する場合に選択される。一方、ＣｏＭＰ送信（ＪＴ）が適用される場合において、パターン“ＴＰ０”は、セル０（ＴＰ０）及びセル１（ＴＰ１）からＰＤＳＣＨから送信される場合であって、セル１（ＴＰ１）からＭＢＳＦＮサブフレーム又はＮｅｗ  ｃａｒｒｉｅｒタイプサブフレームが送信される場合に選択される。同様に、パターン“ＴＰ０”は、セル０（ＴＰ０）及びセル２（ＴＰ２）からＰＤＳＣＨから送信される場合であって、セル２（ＴＰ２）からＭＢＳＦＮサブフレーム又はＮｅｗ  ｃａｒｒｉｅｒタイプサブフレームが送信される場合に選択される。さらに、パターン“ＴＰ０”は、セル０（ＴＰ０）、セル１（ＴＰ１）及びセル２（ＴＰ２）からＰＤＳＣＨから送信される場合であって、セル１（ＴＰ１）及びセル２（ＴＰ２）からＭＢＳＦＮサブフレーム又はＮｅｗ  ｃａｒｒｉｅｒタイプサブフレームが送信される場合に選択される。パターン“ＴＰ１”、“ＴＰ２”についても同様である。
【００５６】
パターン“ＴＰ０＆ＴＰ１”は、ＣｏＭＰ送信（ＪＴ）が適用される場合において、セル０（ＴＰ０）及びセル１（ＴＰ１）からＰＤＳＣＨから送信される場合に選択される。また、パターン“ＴＰ０＆ＴＰ１”は、ＣｏＭＰ送信（ＪＴ）が適用される場合において、セル０（ＴＰ０）、セル１（ＴＰ１）及びセル２（ＴＰ２）からＰＤＳＣＨが送信される場合であって、セル２（ＴＰ２）からＭＢＳＦＮサブフレーム又はＮｅｗ  ｃａｒｒｉｅｒタイプサブフレームが送信される場合に選択される。一方、ＣｏＭＰ送信（ＤＰＳ）が適用される場合において、パターン“ＴＰ０＆ＴＰ１”は、セル１（ＴＰ１）のＣＲＳによる干渉を除去しながら、セル０（ＴＰ０）からＰＤＳＣＨが送信される場合に選択される。これとは逆に、パターン“ＴＰ０＆ＴＰ１”は、セル０（ＴＰ０）のＣＲＳによる干渉を除去しながら、セル１（ＴＰ１）からＰＤＳＣＨが送信される場合に選択される。パターン“ＴＰ０＆ＴＰ２”、“ＴＰ１＆ＴＰ２”についても同様である。
【００５７】
パターン“ＴＰ０＆ＴＰ１＆ＴＰ２”は、ＣｏＭＰ送信（ＤＰＳ）が適用される場合において、セル１（ＴＰ１）及びセル２（ＴＰ２）のＣＲＳによる干渉を除去しながら、セル０（ＴＰ０）からＰＤＳＣＨが送信される場合に選択される。同様に、パターン“ＴＰ０＆ＴＰ１＆ＴＰ２”は、セル０（ＴＰ０）及びセル２（ＴＰ２）のＣＲＳによる干渉を除去しながら、セル１（ＴＰ１）からＰＤＳＣＨが送信される場合、或いは、セル０（ＴＰ０）及びセル１（ＴＰ１）のＣＲＳによる干渉を除去しながら、セル２（ＴＰ２）からＰＤＳＣＨが送信される場合に選択される。
【００５８】
一方、ＣｏＭＰ送信（ＪＴ）が適用される場合において、パターン“ＴＰ０＆ＴＰ１＆ＴＰ２”は、セル２（ＴＰ２）のＣＲＳによる干渉を除去しながら、セル０（ＴＰ０）及びセル１（ＴＰ１）からＰＤＳＣＨが送信される場合に選択される。同様に、パターン“ＴＰ０＆ＴＰ１＆ＴＰ２”は、セル１（ＴＰ１）のＣＲＳによる干渉を除去しながら、セル０（ＴＰ０）及びセル２（ＴＰ２）からＰＤＳＣＨが送信される場合、或いは、セル０（ＴＰ０）のＣＲＳによる干渉を除去しながら、セル１（ＴＰ１）及びセル２（ＴＰ２）からＰＤＳＣＨが送信される場合に選択される。また、パターン“ＴＰ０＆ＴＰ１＆ＴＰ２”は、ＣｏＭＰ送信（ＪＴ）が適用される場合において、セル０（ＴＰ０）、セル１（ＴＰ１）及びセル２（ＴＰ２）からＰＤＳＣＨが送信される場合に選択される。
【００５９】
パターン“Ｎｏｎ−ＣＲＳ”は、ＣｏＭＰ送信（ＤＰＳ）が適用される場合において、セル０（ＴＰ０）のみから、ＭＢＳＦＮサブフレーム又はＮｅｗ  ｃａｒｒｉｅｒタイプサブフレームでＰＤＳＣＨが送信される場合に選択される。同様に、パターン“Ｎｏｎ−ＣＲＳ”は、セル１（ＴＰ１）又はセル２（ＴＰ２）のみから、ＭＢＳＦＮサブフレーム又はＮｅｗ  ｃａｒｒｉｅｒタイプサブフレームでＰＤＳＣＨが送信される場合に選択される。一方、ＣｏＭＰ送信（ＪＴ）が適用される場合において、パターン“Ｎｏｎ−ＣＲＳ”は、セル０（ＴＰ０）及びセル１（ＴＰ１）から、ＭＢＳＦＮサブフレーム又はＮｅｗ  ｃａｒｒｉｅｒタイプサブフレームでＰＤＳＣＨが送信される場合に選択される。同様に、パターン“Ｎｏｎ−ＣＲＳ”は、セル０（ＴＰ０）及びセル２（ＴＰ２）、セル１（ＴＰ１）及びセル２（ＴＰ２）、或いは、セル０（ＴＰ０）、セル１（ＴＰ１）及びセル２（ＴＰ２）から、ＭＢＳＦＮサブフレーム又はＮｅｗ  ｃａｒｒｉｅｒタイプサブフレームでＰＤＳＣＨが送信される場合に選択される。
【００６０】
ここで、特定のセルのＣＲＳによる干渉を除去しながら、他の協調セルからＰＤＳＣＨを送信する場合のフレーム構成について具体的に説明する。図７は、セル０（ＴＰ０）のＣＲＳによる干渉を除去しながら、セル１（ＴＰ１）及びセル２（ＴＰ２）からＰＤＳＣＨをジョイント送信する場合のフレーム構成の説明図である。なお、図７に示すセル０（ＴＰ０）〜セル２（ＴＰ２）のサブフレームは、通常のサブフレームであるものとする。
【００６１】
図７に示すように、セル１（ＴＰ１）及びセル２（ＴＰ２）からジョイント送信する場合において、セル０（ＴＰ０）のＣＲＳは、ジョイント送信されるサブフレームの同一のＲＥに割り当てられたＰＤＳＣＨの干渉となる。このような干渉は、信号品質の劣化の原因となる。このため、図６に示すレートマッチングテーブルにおいては、このようなＣｏＭＰ送信形態が適用される場合にパターン“ＴＰ０＆ＴＰ１＆ＴＰ２”が選択される。これにより、送信データの容量は縮小されるものの、信号品質の劣化を抑制できる。
【００６２】
図６に示すようなレートマッチングテーブルをユーザ端末ＵＥに通知した後、無線基地局装置ｅＮＢは、ユーザ端末ＵＥからフィードバックされたＣＱＩに基づいてスケジューリングを行う。この場合、無線基地局装置ｅＮＢは、ユーザ端末ＵＥからフィードバックされたＣＱＩに基づいて、ユーザ端末ＵＥに共有データチャネルを送信するＣｏＭＰ送信セルを決定する。このＣｏＭＰ送信セルの決定に伴って、ＣｏＭＰ送信形態も特定される。
【００６３】
また、無線基地局装置ｅＮＢは、決定されたＣｏＭＰ送信セルのサブフレームが、ＭＢＳＦＮサブフレーム、或いは、Ｎｅｗ  ｃａｒｒｉｅｒタイプサブフレームであるかを判定する。この判定結果に基づいて、無線基地局装置ｅＮＢは、ＣｏＭＰ送信形態に応じたレートマッチングパターンを選択する。そして、無線基地局装置ｅＮＢは、ＣｏＭＰ送信形態に応じたセルのＰＤＣＣＨに、選択したレートマッチングパターンに対応するビット情報をＣＩＦに記述した下りリンク制御情報（ＤＣＩ）を生成する。
【００６４】
以下、図６に示すレートマッチングテーブルを用いて、無線基地局装置ｅＮＢで選択したＣＩＦをユーザ端末ＵＥに通知する一方、通知されたＣＩＦに基づいてユーザ端末ＵＥでレートマッチングを行う場合の動作について説明する。なお、ここでは、ユーザ端末ＵＥは、無線基地局装置ｅＮＢからの通知により、図６に示すレートマッチングテーブルを認識しているものとする。
【００６５】
無線基地局装置ｅＮＢは、ユーザ端末ＵＥからフィードバックされたＣＱＩに基づいてスケジューリングを行う。この場合、無線基地局装置ｅＮＢは、ユーザ端末ＵＥからフィードバックされたＣＱＩに基づいて、ＣｏＭＰ候補セルの中から、ユーザ端末ＵＥに共有データチャネルを送信するＣｏＭＰ送信セルを決定する。ここでは、セル０（ＴＰ０）及びセル１（ＴＰ１）がＣｏＭＰ送信セルとして決定されるものとする。すなわち、セル０（ＴＰ０）及びセル１（ＴＰ１）からのジョイント送信が選択される。
【００６６】
次に、無線基地局装置ｅＮＢは、決定されたＣｏＭＰ送信セル（セル０及びセル１）のサブフレームが、ＭＢＳＦＮサブフレーム、或いは、Ｎｅｗ  ｃａｒｒｉｅｒタイプサブフレームであるかを判定する。ここでは、セル０（ＴＰ０）のサブフレームが、ＭＢＳＦＮサブフレームであるものとする。すなわち、セル０（ＴＰ０）のサブフレームにおいては、ＣＲＳが割り当てられていない。
【００６７】
そして、無線基地局装置ｅＮＢは、ＣｏＭＰ送信形態に応じたレートマッチングパターンを選択すると共に、そのレートマッチングパターンに応じたビット情報をＣＩＦに記述した下りリンク制御情報（ＤＣＩ）を生成する。ここでは、セル０（ＴＰ０）及びセル１（ＴＰ１）にＣｏＭＰ送信（ＪＴ）が適用されると共に、セル１（ＴＰ１）からＭＢＳＦＮサブフレームでＰＤＳＣＨが送信されるＣｏＭＰ送信形態に該当する。このため、無線基地局装置ｅＮＢは、図６に示すパターン“ＴＰ１”を選択する。そして、このパターン“ＴＰ１”に対応するビット情報（００１）をＣＩＦに記述した下りリンク制御情報（ＤＣＩ）を生成する。無線基地局装置ｅＮＢは、このＤＣＩをＰＤＣＣＨでユーザ端末ＵＥに送信する。
【００６８】
ユーザ端末ＵＥは、無線基地局装置ｅＮＢからＰＤＣＣＨを受信する。そして、このＰＤＣＣＨに含まれるＤＣＩのＣＩＦに指定されたビット情報を判定する。ここでは、ＰＤＣＣＨに含まれるＤＣＩのＣＩＦにビット情報（００１）が指定されていることを検出すると、ユーザ端末ＵＥは、レートマッチングテーブルからビット情報（００１）に対応するパターン“ＴＰ１”を取得する。そして、ユーザ端末ＵＥは、無線基地局装置ｅＮＢからの受信データに対して、パターン“ＴＰ１”を用いてレートマッチングを行う。
【００６９】
このように本実施の形態に係る無線通信システムでは、無線基地局装置ｅＮＢにおいて、ＣｏＭＰ送信形態に対応するレートマッチングパターンが、ＣＩＦを構成するビット情報に関連付けられたレートマッチングテーブルが生成され、ユーザ端末ＵＥに通知される。そして、ＣｏＭＰ送信形態に対応するレートマッチングパターンに関連付けられたＣＩＦが選択され、そのＣＩＦを含むＤＣＩがＰＤＣＣＨでユーザ端末ＵＥに送信される。このため、ユーザ端末ＵＥは、ＰＤＣＣＨのＤＣＩに規定されたＣＩＦから、ＣｏＭＰ送信形態に対応するレートマッチング情報（レートマッチングパターン）を識別できる。このため、ＣｏＭＰ送受信技術を適用する場合でも、レートマッチングに必要な情報を効率的にシグナリングすることが可能となる。
【００７０】
なお、以上の説明においては、無線基地局装置ｅＮＢで生成されたレートマッチングテーブルをユーザ端末ＵＥに送信することで共有し、そのレートマッチングテーブルに登録されたＣＩＦが指定されたＤＣＩを含むＰＤＣＣＨを送信することで、ＣｏＭＰ送信形態に対応するレートマッチングパターンをシグナリングする。しかしながら、本発明に係る無線通信システムにおいては、必ずしも無線基地局装置ｅＮＢでレートマッチングテーブルを生成する必要はない。ＣｏＭＰ送信形態に対応するレートマッチングパターンを登録した共通のレートマッチングテーブルを予め無線基地局装置ｅＮＢ及びユーザ端末ＵＥで保持しておく。そして、そのレートマッチングテーブルに登録されたＣＩＦが指定されたＤＣＩを含むＰＤＣＣＨを送信することで、ＣｏＭＰ送信形態に対応するレートマッチングパターンをシグナリングするようにしてもよい。
【００７１】
すなわち、ユーザ端末ＵＥに対して複数の無線基地局装置ｅＮＢが送信ポイントとなって協調マルチポイント送信するＣｏＭＰ送信をスケジューリングし、ＣｏＭＰ送信の送信形態に対応して必要なレートマッチングパターンがビットデータにマッピングされているレートマッチングテーブルに基づいて、ＰＤＣＣＨにレートマッチングパターンを組み込んだＤＣＩを生成し、そのＰＤＣＣＨをＰＤＳＣＨと共に送信し、ユーザ端末ＵＥでＤＣＩに組み込まれるレートマッチングパターンを、無線基地局装置ｅＮＢと同一内容のレートマッチングテーブルに基づいて特定する内容は、本発明の範囲に含まれる。
【００７２】
また、以上の説明において、レートマッチングテーブルに登録されるレートマッチングパターンは、ＣＲＳが割り当てられたリソースを基準にレートマッチング対象を定めたパターンについて説明している。しかしながら、レートマッチングパターンについては、これに限定されるものではなく、適宜変更が可能である。例えば、ＰＤＳＣＨの開始位置を基準にレートマッチング対象を定めたパターンを登録することもできる。このようなレートマッチングパターンの通知に関しては、サービングセルにおいて通知されるＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）に従う方法、新たにＤＣＩに追加する方法、並びに、ＰＤＳＣＨスターティングシンボルをＲＲＣシグナリングで通知する方法などが考えられる。
【００７３】
また、本実施の形態に係る無線通信システムでは、ＣＡ技術であるクロスキャリアスケジューリングで使用されるＣＩＦを用いて、ＣｏＭＰ送信形態に応じたレートマッチングパターンをシグナリングする。ところで、ＣｏＭＰ送受信技術におけるレートマッチングを行う場合には、上位レイヤシグナリング（例えば、ＲＲＣシグナリング）で通知されるレートマッチング属性が必要となる。このようなレートマッチング属性を、ＣＡ実行時にＲＲＣシグナリングで通知される制御情報で通知することは実施の形態として好ましい。
【００７４】
上述したように、ユーザ端末ＵＥがＣＡに対応している場合、無線基地局装置ｅＮＢは、以下の５つの情報を含む制御情報をＲＲＣシグナリングで通知する。
・セカンダリセル（Ｓｃｅｌｌ）インデックス（１〜４）
・物理セルＩＤ及び下りリンクキャリア周波数
・ＣＲＳポート番号
・ＭＢＳＦＮサブフレーム構成及びサブフレームオフセット
・ＰＤＳＣＨスタートシンボル
【００７５】
これらの制御情報の一部を変更することで、ＣｏＭＰ送受信技術におけるレートマッチング実行時に必要なレートマッチング属性を通知できる。例えば、無線基地局装置ｅＮＢは、以下の４つの情報を含む制御情報をＲＲＣシグナリングで通知する。
・サービングセル（Ｓｅｒｖｃｅｌｌ）インデックス（１又は２）
・物理セルＩＤ及び下りリンクキャリア周波数
・ＣＲＳポート番号
・ＰＤＳＣＨスタートシンボル
この場合、ＭＢＳＦＮサブフレーム構成及びサブフレームオフセットは、必ずしも必要ない。すなわち、ＭＢＳＦＮサブフレーム構成及びサブフレームオフセットは、レートマッチングの実行に大きな影響を与えないためである。
【００７６】
このように本実施の形態に係る無線通信システムにおいては、ＣＡ実行時にＲＲＣシグナリングで通知される制御情報の一部を変更又は削除することにより、レートマッチング属性をユーザ端末ＵＥに通知することができる。このため、ＣＡ実行時に通知されるＲＲＣシグナリングの内容に大幅に変更することなくレートマッチング属性を通知することが可能となる。特に、レートマッチングの実行に大きな影響を与えないＭＢＳＦＮサブフレーム構成及びサブフレームオフセットを制御情報から削除できるので、送信データに対して制御信号の割合が大きくなるオーバーヘッドを改善できる。
【００７７】
なお、以上の説明においては、ユーザ端末ＵＥからフィードバックされるＣＱＩに基づいてスケジューリングを行う前に生成したレートマッチングテーブルをＲＲＣシグナリングで通知する場合について示している。しかしながら、レートマッチングテーブルを生成するタイミングについては、スケジューリングを行う前に限定されるものではなく、スケジューリングを行った後であってもよい。例えば、スケジューリングを行った後に図６に示すレートマッチングテーブルを生成することも可能である。
【００７８】
また、スケジューリング後にレートマッチングテーブルを生成する場合には、スケジューリング結果や、ＭＢＳＦＮサブフレーム（Ｎｅｗ  ｃａｒｒｉｅｒタイプサブフレーム）であるか否かの判定結果（以下、「ＭＢＳＦＮサブフレーム等の判定結果」という）を考慮したレートマッチングテーブルを生成することもできる。例えば、スケジューリング結果及びＭＢＳＦＮサブフレーム等の判定結果により、レートマッチングが必要なセル（ＴＰ）が１つのみである場合について考える。この場合、２つ以上のセル（ＴＰ）に対してレートマッチングを行うためのレートマッチングパターンは必要ない。
【００７９】
図８は、スケジューリング後に生成されたレートマッチングテーブルの一例を示す図である。図８に示すレートマッチングテーブルでは、図６に示すレートマッチングテーブルの登録情報のうち、２つ以上のセル（ＴＰ）に対するレートマッチング用のレートマッチングパターンが省略されている。具体的には、パターン“ＴＰ０＆ＴＰ１”、“ＴＰ０＆ＴＰ２”、“ＴＰ１＆ＴＰ２”、“ＴＰ０＆ＴＰ１＆ＴＰ２”が省略されている。このように２つ以上のセル（ＴＰ）に対するレートマッチング用のレートマッチングパターンを省略する場合には、レートマッチングテーブルをユーザ端末ＵＥに通知するための情報量を低減でき、スループット特性の改善できる。
【００８０】
さらに、スケジューリング後にレートマッチングテーブルを生成する場合には、特定のＣｏＭＰ送信形態に限定したレートマッチングテーブルを生成することもできる。この場合、例えば、ＣｏＭＰ送信（ＤＰＳ）に限定したレートマッチングテーブルや、ＣｏＭＰ送信（ＪＴ）に限定したレートマッチングテーブルが生成される。
【００８１】
図９は、ＣｏＭＰ送信（ＤＰＳ）に限定したレートマッチングテーブルの一例を示す図である。図１０は、ＣｏＭＰ送信（ＪＴ）に限定したレートマッチングテーブルの一例を示す図である。図９に示すレートマッチングテーブルでは、図６に示すレートマッチングテーブルの登録情報のうち、ジョイント送信に関する登録内容が省略されている。一方、図１０に示すレートマッチングテーブルでは、図６に示すレートマッチングテーブルの登録情報のうち、ＤＰＳに関する登録内容が省略されている。このように特定のＣｏＭＰ送信形態に対応するレートマッチングパターンのみを規定する場合には、レートマッチングテーブルをユーザ端末ＵＥに通知するための情報量を低減でき、スループット特性の改善できる。
【００８２】
さらに、図６においては、ＣｏＭＰ候補セルが３つの場合のレートマッチングテーブルを示している。しかしながら、ＣｏＭＰ候補セルの数は、３つに限定されず、２つのＣｏＭＰ候補セルに基づいてレートマッチングテーブルを生成することもできる。図１１は、ＣｏＭＰ候補セルが２つの場合のレートマッチングテーブルの一例を示す図である。なお、図１１Ａにおいては、図６に示すレートマッチングテーブルと同様に、スケジューリング前に生成されるレートマッチングテーブルの一例を示している。一方、図１１Ｂにおいては、図８に示すレートマッチングテーブルと同様に、スケジューリング後に生成されるレートマッチングテーブルの一例を示している。
【００８３】
図１１Ａに示すレートマッチングテーブルにおいては、パターン“ＴＰ０”及び“ＴＰ１”がＣＩＦを構成するビット情報（０００）及び（００１）に関連付けられている。また、パターン“ＴＰ０＆ＴＰ１”及び“Ｎｏｎ−ＣＲＳ”がＣＩＦを構成するビット情報（０１０）及び（０１１）に関連付けられている。
【００８４】
パターン“ＴＰ０”は、ＣｏＭＰ送信（ＤＰＳ）が適用される場合において、セル０（ＴＰ０）のみからＰＤＳＣＨを送信する場合に選択される。一方、ＣｏＭＰ送信（ＪＴ）が適用される場合において、パターン“ＴＰ０”は、セル０（ＴＰ０）及びセル１（ＴＰ１）からＰＤＳＣＨから送信される場合であって、セル１（ＴＰ１）からＭＢＳＦＮサブフレーム又はＮｅｗ  ｃａｒｒｉｅｒタイプサブフレームが送信される場合に選択される。パターン“ＴＰ１”についても同様である。
【００８５】
パターン“ＴＰ０＆ＴＰ１”は、ＣｏＭＰ送信（ＪＴ）が適用される場合において、セル０（ＴＰ０）及びセル１（ＴＰ１）からＰＤＳＣＨから送信される場合に選択される。また、ＣｏＭＰ送信（ＤＰＳ）が適用される場合において、パターン“ＴＰ０＆ＴＰ１”は、セル１（ＴＰ１）のＣＲＳによる干渉を除去しながら、セル０（ＴＰ０）からＰＤＳＣＨが送信される場合に選択される。これとは逆に、パターン“ＴＰ０＆ＴＰ１”は、セル０（ＴＰ０）のＣＲＳによる干渉を除去しながら、セル１（ＴＰ１）からＰＤＳＣＨが送信される場合に選択される。
【００８６】
パターン“Ｎｏｎ−ＣＲＳ”は、ＣｏＭＰ送信（ＤＰＳ）が適用される場合において、セル０（ＴＰ０）又はセル１（ＴＰ１）のみから、ＭＢＳＦＮサブフレーム又はＮｅｗ  ｃａｒｒｉｅｒタイプサブフレームでＰＤＳＣＨが送信される場合に選択される。一方、ＣｏＭＰ送信（ＪＴ）が適用される場合において、パターン“Ｎｏｎ−ＣＲＳ”は、セル０（ＴＰ０）及びセル１（ＴＰ１）から、ＭＢＳＦＮサブフレーム又はＮｅｗ  ｃａｒｒｉｅｒタイプサブフレームでＰＤＳＣＨが送信される場合に選択される。
【００８７】
図１１Ｂに示すレートマッチングテーブルでは、図１１Ａに示すレートマッチングテーブルの登録情報のうち、２つ以上のセル（ＴＰ）に対するレートマッチング用のレートマッチングパターンが省略されている。具体的には、パターン“ＴＰ０＆ＴＰ１”が省略されている。このように２つ以上のセル（ＴＰ）に対するレートマッチング用のレートマッチングパターンを省略することにより、レートマッチングテーブルをユーザ端末ＵＥに通知するための情報量を低減でき、スループット特性の改善できる。
【００８８】
また、スケジューリング後にレートマッチングテーブルを生成する場合には、図９又は図１０と同様に、特定のＣｏＭＰ送信形態に限定したレートマッチングテーブルを生成することもできる。図１２Ａは、ＣｏＭＰ送信（ＤＰＳ）に限定したレートマッチングテーブルの一例を示す図である。図１２Ｂは、ＣｏＭＰ送信（ＪＴ）に限定したレートマッチングテーブルの一例を示す図である。図１２Ａに示すレートマッチングテーブルでは、図１１Ａに示すレートマッチングテーブルの登録情報のうち、ジョイント送信に関する登録内容が省略されている。一方、図１２Ｂに示すレートマッチングテーブルでは、図１１Ａに示すレートマッチングテーブルの登録情報のうち、ＤＰＳに関する登録内容が省略されている。このように特定のＣｏＭＰ送信形態に対応するレートマッチングパターンのみを規定する場合には、レートマッチングテーブルをユーザ端末ＵＥに通知するための情報量を低減でき、スループット特性の改善できる。
【００８９】
以上の無線通信システムにおいては、ＣＡ技術であるクロスキャリアスケジューリングで使用されるＣＩＦを用いて、ＣｏＭＰ送信形態に応じたレートマッチング情報（レートマッチングパターン）をシグナリングする。すなわち、本来、セルインデックスを示すＣＩＦを使用してレートマッチング情報をシグナリングする。このため、ＣＡが適用されず、ＣｏＭＰのみが適用される環境に好適である。
【００９０】
しかしながら、ＣｏＭＰ及びＣＡが適用される環境下においては、ＣＩＦがセルインデックスの通知に使用されるため、レートマッチング情報のシグナリングに使用することができない。このような環境下においても、レートマッチング情報を効率的にユーザ端末ＵＥに通知することは、システム全体のスループット特性及び信号品質を改善する観点から好ましい。
【００９１】
ＣｏＭＰ及びＣＡが適用される環境下では、ＲＲＣシグナリングで通知されるセルインデックスが最大１５個必要になる。このため、本実施の形態に係る無線通信システムでは、ＲＲＣシグナリングに含まれる制御情報（セルインデックス）の一部を変更する。図１３は、ＣｏＭＰ及びＣＡが適用される環境下でＲＲＣシグナリングにより通知される制御情報の一例を示す図である。なお、図１３においては、説明の便宜上、ＣＡのみが適用される環境下でＲＲＣシグナリングにより通知される制御情報を示している。
【００９２】
図１３に示すように、ＲＲＣシグナリングにより通知される制御情報には、以下の情報が含まれる。
・サービングセルインデックス（ＳｅｒｖＣｅｌｌＩｎｄｅｘ）
・セカンダリセルインデックス（ＳＣｅｌｌＩｎｄｅｘ）
・セカンダリセルの最大値（ｍａｘＳＣｅｌｌ）
・サービングセルの最大値（ｍａｘＳｅｒｖＣｅｌｌ）
【００９３】
ＣＡのみが適用される環境下において、サービングセルインデックスは、サービングセル（例えば、ＰＣｅｌｌ又はＳＣｅｌｌ）を識別するために使用され、０〜４の数値が割り当てられる。セカンダリセルインデックスは、セカンダリセルを識別するために使用され、１〜４の数値が割り当てられる。また、セカンダリセルの最大値には、４の数値が設定され、サービングセルの最大値には、５の数値が設定されている。
【００９４】
一方、ＣｏＭＰ及びＣＡが適用される環境下において、サービングセルインデックスは、サービングセル及び協調ポイント（例えば、ＰＣｅｌｌ又はＳＣｅｌｌ又は協調ポイント）を識別するために使用される。その数値には、メジャメントサイズ（メジャメント候補セル）が３つ（２つ）の場合には０〜１４（０〜１０）が割り当てられる。セカンダリセルインデックスは、セカンダリセル又は協調ポイントを識別するために使用される。その数値には、メジャメントサイズ（メジャメント候補セル）が３つ（２つ）の場合には１〜１４（１〜１０）が割り当てられる。
【００９５】
また、セカンダリセルの最大値には、セカンダリセル及び協調ポイントの最大値が設定される。その数値は、メジャメントサイズ（メジャメント候補セル）が３つ（２つ）の場合には１４（９）が割り当てられる。サービングセルの最大値には、サービングセル及び協調ポイントの最大値が設定される。その数値は、メジャメントサイズ（メジャメント候補セル）が３つ（２つ）の場合には１５（１０）が割り当てられる。
【００９６】
すなわち、ＣｏＭＰ及びＣＡが適用される環境下では、サービングセルインデックス及びセカンダリセルインデックスは、３ビットから４ビットに拡張されている。サービングセル及び協調ポイント（例えば、ＰＣｅｌｌ又はＳＣｅｌｌ又は協調ポイント）の双方の識別を可能にするためである。これに伴い、セカンダリセルの最大値及びサービングセルの最大値も変更されている。
【００９７】
図１４は、ＣｏＭＰ及びＣＡが適用される環境下におけるセルに割り当てられるセルインデックスの説明図である。図１４においては、左側の列に協調サービングセル（ＣＡサービングセル）が配置され、中央及び右側の列にＣｏＭＰ協調ポイントが配置される場合について示している。協調サービングセルに０〜４の数値が割り当てられる。具体的には、ビット情報（００００）、（０００１）、（００１０）、（００１１）、（０１００）が割り当てられる。一方、ＣｏＭＰ協調ポイントに５〜１４の数値が割り当てられている。具体的には、ビット情報（０１０１）、（０１１１）、（１００１）、（１０１１）、（１１０１）、（０１１０）、（１０００）、（１０１０）、（１１００）、（１１１０）が割り当てられる。
【００９８】
この場合において、ＣＣインデックスは、後述する拡張ＣＩＦの先頭３ビットで示されるサービングセルインデックスと同一の値に設定されている。このようにＣＣインデックスと、サービングインデックスとを同一の値に設定することで、ＣＡのみが適用される場合に利用された制御情報に大きな変更を加えることなく適用できる。サービングセルインデックスの先頭３ビットがＣＣインデックスと同一であるので、ユーザ端末ＵＥは、サービングセルインデックスからＣＣインデックスを把握できる。
【００９９】
新たに追加された協調ポイントに関しては、ＲＲＣシグナリングで通知される下りリンクキャリア周波数によって、協調サービングセルを把握できる。ＣｏＭＰ及びＣＡが適用される環境下においても、あるセカンダリセルが追加されると、無線基地局装置ｅＮＢからユーザ端末ＵＥに、その下りリンクキャリア周波数が通知される（ＲＲＣシグナリング）。例えば、最初にセル１（ビット情報：０００１）が追加された後、セル７（ビット情報：０１１１）が追加されるものとする。この場合、両者のＣＣは、共通のＣＣ２であるので、ユーザ端末ＵＥは、セル１とセル７とが同一のＣｏＭＰ協調セルセットであることを把握できる。
【０１００】
また、ＣＡが適用される環境下においては、ＣＩＦがセルインデックスの通知に使用される。したがって、ＣＩＦが３ビットで構成される場合には、レートマッチング情報のシグナリングに使用することができない。このため、本実施の形態に係る無線通信システムにおいては、ＣＩＦを構成するビット数を拡張し、６ビットに設定する。なお、拡張するビット数は、３ビットに限定されるものではなく適宜変更が可能である。必要に応じて４ビット以上のビット数を拡張するビット数としてもよいし、２ビット以下のビット数としてもよい。
【０１０１】
図１５は、拡張されたＣＩＦ（以下、「拡張ＣＩＦ」という）を含むレートマッチングテーブルの一例を示す図である。なお、図１５に示すレートマッチングテーブルにおいては、テーブルの一部を示している。また、図１５に示すレートマッチングテーブルにおいて、レートマッチングパターン及びＣｏＭＰ送信形態の登録情報は、図６に示すレートマッチングテーブルと同一のため、その説明を省略する。さらに、図１５に示すレートマッチングテーブルにおいては、説明の便宜上、拡張ＣＩＦのうち、既存部分のビット情報と、拡張部分のビット情報との間にハイフン（−）を示している。
【０１０２】
図１５に示すレートマッチングテーブルにおいては、パターン“ＴＰ０”、“ＴＰ１”及び“ＴＰ２”がＣＩＦを構成するビット情報（０００−０００）、（０００−００１）及び（０００−０１０）に関連付けられている。また、パターン“ＴＰ０＆ＴＰ１”、“ＴＰ０＆ＴＰ２”及び“ＴＰ１＆ＴＰ２”がＣＩＦを構成するビット情報（０００−０１１）、（０００−１００）及び（０００−１０１）に関連付けられている。さらに、パターン“ＴＰ０＆ＴＰ１＆ＴＰ２”及び“Ｎｏｎ−ＣＲＳ”がＣＩＦを構成するビット情報（０００−１１０）及び（０００−１１１）に関連付けられている。
【０１０３】
拡張ＣＩＦを構成するビット情報は、前半の３ビットがＣＣインデックスを示し、後半の３ビットがレートマッチング情報（レートマッチングパターン）を示している。図１５では、サービングセル０に対応するビット情報（０００）が示されている。例えば、サービングセル１に対応する拡張ＣＩＦにおいては、拡張ＣＩＦの前半の３ビットにビット情報（００１）が指定される。
【０１０４】
ＣｏＭＰ及びＣＡが適用される環境下においては、例えば、ＣｏＭＰ候補セルが決定されると、無線基地局装置ｅＮＢで図１５に示すようなレートマッチングテーブルが生成される。このようなレートマッチングテーブルをユーザ端末ＵＥに通知した後、無線基地局装置ｅＮＢは、ユーザ端末ＵＥからフィードバックされたＣＱＩに基づいて、ユーザ端末ＵＥに共有データチャネルを送信するＣｏＭＰ送信セル（ＣｏＭＰ送信形態）を決定する。
【０１０５】
また、無線基地局装置ｅＮＢは、決定されたＣｏＭＰ送信セルのサブフレームが、ＭＢＳＦＮサブフレーム、或いは、Ｎｅｗ  ｃａｒｒｉｅｒタイプサブフレームであるかを判定する。この判定結果に基づいて、無線基地局装置ｅＮＢは、ＣｏＭＰ送信形態に応じたレートマッチングパターンを選択する。そして、無線基地局装置ｅＮＢは、ＣｏＭＰ送信形態に応じたセルのＰＤＣＣＨに、選択したレートマッチングパターンに対応するビット情報をＣＩＦに記述した下りリンク制御情報（ＤＣＩ）を生成する。
【０１０６】
このようにＣｏＭＰ及びＣＡが適用される環境下では、無線基地局装置ｅＮＢにおいて、ＣｏＭＰ送信形態に対応するレートマッチングパターンが、拡張ＣＩＦを構成するビット情報に関連付けられたレートマッチングテーブルが生成され、ユーザ端末ＵＥに通知される。そして、ＣｏＭＰ送信形態に対応するレートマッチングパターンに関連付けられた拡張ＣＩＦが選択され、その拡張ＣＩＦを含むＤＣＩがＰＤＣＣＨでユーザ端末ＵＥに送信される。このため、ユーザ端末ＵＥは、ＰＤＣＣＨのＤＣＩに規定された拡張ＣＩＦから、ＣｏＭＰ送信形態に対応するレートマッチング情報（レートマッチングパターン）を識別できる。このため、ＣｏＭＰ送受信技術を適用する場合でも、レートマッチングに必要な情報を効率的にシグナリングすることが可能となる。
【０１０７】
ここで、本実施の形態に係る無線通信システムについて詳細に説明する。図１６は、本実の形態に係る無線通信システムのシステム構成の説明図である。なお、図１６に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーション（ＣＡ）が用いられている。また、この無線通信システムは、ＩＭＴ−Ａｄｖａｎｃｅｄと呼ばれてもよいし、４Ｇと呼ばれてもよい。
【０１０８】
図１６に示すように、無線通信システム１は、各送信ポイント（ＴＰ）の無線基地局装置（以下、「基地局装置」という）２０Ａ、２０Ｂと、この基地局装置２０Ａ、２０Ｂと通信するユーザ端末１０とを含んで構成されている。基地局装置２０Ａ、２０Ｂは、上位局装置３０と接続され、この上位局装置３０は、コアネットワーク４０と接続される。また、基地局装置２０Ａ、２０Ｂは、有線接続又は無線接続により相互に接続されている。ユーザ端末１０は、送信ポイントである基地局装置２０Ａ、２０Ｂと通信を行うことができる。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。
【０１０９】
ユーザ端末１０は、既存端末（Ｒｅｌ．１０  ＬＴＥ）及びサポート端末（例えば、Ｒｅｌ．１１  ＬＴＥ）を含むが、以下においては、特段の断りがない限りユーザ端末として説明を進める。また、説明の便宜上、基地局装置２０Ａ、２０Ｂと無線通信するのはユーザ端末１０であるものとして説明する。
【０１１０】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末ごとに１つ又は連続したリソースブロックからなる帯域に分割し、複数の端末が互いに異なる帯域を用いることで、端末間の干渉を低減するシングルキャリア伝送方式である。
【０１１１】
ここで、通信チャネルについて説明する。下りリンクの通信チャネルは、ユーザ端末１０で共有される下りデータチャネルとしてのＰＤＳＣＨと、下りＬ１／Ｌ２制御チャネル（ＰＤＣＣＨ、ＰＣＦＩＣＨ、ＰＨＩＣＨ）とを有する。ＰＤＳＣＨにより、送信データ及び上位制御情報が伝送される。ＰＤＣＣＨにより、ＰＤＳＣＨ及びＰＵＳＣＨのスケジューリング情報などが伝送される。ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）により、ＰＤＣＣＨに用いるＯＦＤＭシンボル数が伝送される。ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）により、ＰＵＳＣＨに対するＨＡＲＱのＡＣＫ／ＮＡＣＫが伝送される。
【０１１２】
上りリンクの通信チャネルは、各ユーザ端末１０で共有される上りデータチャネルとしてのＰＵＳＣＨ（Ｐｈｙｓｉｃａｌ  Ｕｐｌｉｎｋ  Ｓｈａｒｅｄ  Ｃｈａｎｎｅｌ）と、上りリンクの制御チャネルであるＰＵＣＣＨ（Ｐｈｙｓｉｃａｌ  Ｕｐｌｉｎｋ  Ｃｏｎｔｒｏｌ  Ｃｈａｎｎｅｌ）とを有する。このＰＵＳＣＨにより、送信データや上位制御情報が伝送される。また、ＰＵＣＣＨにより、下りリンクのチャネル状態情報（ＣＳＩ（ＣＱＩなどを含む））、ＡＣＫ／ＮＡＣＫなどが伝送される。
【０１１３】
図１７を参照しながら、本実施の形態に係る基地局装置２０の全体構成について説明する。なお、基地局装置２０Ａ、２０Ｂは、同様な構成であるため、基地局装置２０として説明する。基地局装置２０は、送受信アンテナ２０１と、アンプ部２０２と、送受信部（通知部）２０３と、ベースバンド信号処理部２０４と、呼処理部２０５と、伝送路インターフェース２０６とを備えている。下りリンクにより基地局装置２０からユーザ端末１０に送信される送信データは、上位局装置３０から伝送路インターフェース２０６を介してベースバンド信号処理部２０４に入力される。
【０１１４】
ベースバンド信号処理部２０４において、下りデータチャネルの信号は、ＰＤＣＰレイヤの処理、送信データの分割・結合、ＲＬＣ（Ｒａｄｉｏ  Ｌｉｎｋ  Ｃｏｎｔｒｏｌ）再送制御の送信処理などのＲＬＣレイヤの送信処理、ＭＡＣ（Ｍｅｄｉｕｍ  Ａｃｃｅｓｓ  Ｃｏｎｔｒｏｌ）再送制御、例えば、ＨＡＲＱの送信処理、スケジューリング、伝送フォーマット選択、チャネル符号化、逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）処理、プリコーディング処理が行われる。また、下りリンク制御チャネルである物理下りリンク制御チャネルの信号に関しても、チャネル符号化や逆高速フーリエ変換などの送信処理が行われる。
【０１１５】
また、ベースバンド信号処理部２０４は、報知チャネルにより、同一送信ポイントに接続するユーザ端末１０に対して、各ユーザ端末１０が基地局装置２０との無線通信するための制御情報を通知する。当該送信ポイントにおける通信のための情報には、例えば、上りリンク又は下りリンクにおけるシステム帯域幅や、ＰＲＡＣＨ（Ｐｈｙｓｉｃａｌ  Ｒａｎｄｏｍ  Ａｃｃｅｓｓ  Ｃｈａｎｎｅｌ）におけるランダムアクセスプリアンブルの信号を生成するためのルート系列の識別情報（Ｒｏｏｔ  Ｓｅｑｕｅｎｃｅ  Ｉｎｄｅｘ）などが含まれる。
【０１１６】
送受信部２０３は、ベースバンド信号処理部２０４から出力されたベースバンド信号を無線周波数帯に変換する。アンプ部２０２は周波数変換された無線周波数信号を増幅して送受信アンテナ２０１へ出力する。
【０１１７】
一方、上りリンクによりユーザ端末１０から基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【０１１８】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【０１１９】
呼処理部２０５は、通信チャネルの設定や解放などの呼処理や、基地局装置２０の状態管理や、無線リソースの管理を行う。
【０１２０】
次に、図１８を参照しながら、本実施の形態に係るユーザ端末の全体構成について説明する。ユーザ端末１０は、送受信アンテナ１０１と、アンプ部１０２と、送受信部（受信部）１０３と、ベースバンド信号処理部１０４と、アプリケーション部１０５とを備えている。
【０１２１】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理などがなされる。この下りリンクのデータの内、下りリンクの送信データは、アプリケーション部１０５に転送される。アプリケーション部１０５は、物理レイヤやＭＡＣレイヤより上位のレイヤに関する処理などを行う。また、下りリンクのデータのうち、報知情報も、アプリケーション部１０５に転送される。
【０１２２】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。
【０１２３】
図１９を参照して、ＣｏＭＰ送信に対応した基地局装置の機能ブロックについて説明する。なお、図１９の各機能ブロックは、主に図１７に示すベースバンド信号処理部２０４に関するものである。また、図１９の機能ブロック図は、本発明を説明するために簡略化したものであり、ベースバンド信号処理部２０４において通常備える構成を備えるものとする。
【０１２４】
基地局装置２０は、送信側において、バックホール通信部４０１、上位制御情報生成部４０２と、下り送信データ生成部４０３と、下り制御情報生成部４０４と、ＲＳ生成部４０５と、下り送信データ符号化・変調部４０６と、下り制御情報符号化・変調部４０７とを備えている。また、基地局装置２０は、下りチャネル多重部４０８と、ＩＦＦＴ部４０９と、ＣＰ付加部４１０とを備えている。さらに、基地局装置２０は、受信部４１１と、端末能力判定部４１２と、受信品質判定部４１３と、ＣＱＩ判定部４１４と、ＣｏＭＰ候補セル決定部４１５と、テーブル生成部４１６と、スケジューラ４１７とを備えている。
【０１２５】
バックホール通信部４０１は、バックホールによって他の基地局との通信を可能にする。
【０１２６】
上位制御情報生成部４０２は、ユーザ端末に対して上位レイヤシグナリング（例えば、ＲＲＣシグナリング）により送信される上位制御情報を生成し、生成した上位制御情報を下り送信データ符号化・変調部４０６に出力する。例えば、上位制御情報生成部４０２は、ＣｏＭＰのみが適用される場合にレートマッチング処理に必要なレートマッチング属性を含む制御情報や、ＣｏＭＰ及びＣＡが適用される場合に拡張されたセルインデックス等の情報を含む制御情報を生成する。
【０１２７】
また、上位制御情報生成部４０２は、後述するテーブル生成部４１６にて生成されるレートマッチングテーブルを受け取る。そして、上位制御情報生成部４０２は、このレートマッチングテーブルを含む上位制御情報を生成し、下り送信データ符号化・変調部４０６に出力する。
【０１２８】
下り送信データ生成部４０３は、下りリンクの送信データを生成し、その下り送信データを下り送信データ符号化・変調部４０６に出力する。なお、下りリンクの送信データとしてのユーザデータは上位レイヤから供給される。
【０１２９】
下り制御情報生成部４０４は、生成部を構成するものであり、ＤＬグランドを内容とするＤＣＩフォーマット（例えば、ＤＣＩフォーマット１Ａなど）を用いて、ＰＤＳＣＨを制御するための下りリンク制御情報（ＤＣＩ）を生成する。
【０１３０】
ＣｏＭＰのみが適用される場合、下り制御情報生成部４０４は、図６に示すようなレートマッチングテーブルの登録内容に基づいて、ＣｏＭＰ送信形態に応じたレートマッチングパターンをＣＩＦに記述したＤＣＩを生成する。また、ＣｏＭＰ及びＣＡが適用される場合、下り制御情報生成部４０４は、図１５に示すようなレートマッチングテーブルの登録内容に基づいて、ＣｏＭＰ送信形態に応じたレートマッチングパターンをＣＩＦに記述したＤＣＩを生成する。この場合、ＣＩＦには、ＣＡにおけるＣＣインデックスの情報も含まれる。このとき、ＤＣＩに付加されるＣＩＦは、後述するテーブル生成部４１６にて生成されるレートマッチングテーブルの登録内容に基づいて、スケジューラ４１７によって指示される。
【０１３１】
下り送信データ符号化・変調部４０６は、下り送信データ及び上位制御情報に対してチャネル符号化及びデータ変調を行い、下りチャネル多重部４０８に出力する。下り制御情報符号化・変調部４０７は、下り制御情報に対してチャネル符号化及びデータ変調を行い、下りチャネル多重部４０８に出力する。
【０１３２】
ＲＳ生成部４０５は、既存の参照信号（ＣＲＳ、ＣＳＩ−ＲＳ、ＤＭ−ＲＳ）を生成する他、希望信号測定用ＲＳ、干渉測定用ＲＳを生成してもよい。これらのＲＳを下りチャネル多重部４０８に出力する。
【０１３３】
下りチャネル多重部４０８は、下りリンク制御情報、参照信号、上位制御情報及び下り送信データを合成して送信信号を生成する。下りチャネル多重部４０８は、生成した送信信号をＩＦＦＴ部４０９に出力する。ＩＦＦＴ部４０９は、送信信号を逆高速フーリエ変換（Ｉｎｖｅｒｓｅ  Ｆａｓｔ  Ｆｏｕｒｉｅｒ  Ｔｒａｎｓｆｏｒｍ）し、周波数領域の信号から時間領域の信号に変換する。ＩＦＦＴ後の送信信号をＣＰ付加部４１０に出力する。ＣＰ付加部４１０は、ＩＦＦＴ後の送信信号にＣＰ（Ｃｙｃｌｉｃ  Ｐｒｅｆｉｘ）を付加して、ＣＰ付加後の送信信号を図１７に示すアンプ部２０２に出力する。
【０１３４】
受信部４１１は、ユーザ端末からの送信信号を受信して、この受信信号から、端末能力情報（ＵＥ  Ｃａｐａｂｉｌｉｔｙ）、受信品質情報、チャネル品質情報（ＣＱＩ）を取り出して、それぞれ端末能力判定部４１２、受信品質判定部４１３、ＣＱＩ判定部４１４に出力する。
【０１３５】
端末能力判定部４１２は、通知されたユーザ端末１０の端末能力に基づいて、接続するユーザ端末１０の通信能力を判定する。特に、端末能力判定部４１２は、通知された端末能力に基づいて、接続するユーザ端末１０がＣｏＭＰやＣＡに対応可能であるかを判定する。端末能力判定部４１２は、判定したユーザ端末１０の端末能力をＣｏＭＰ候補セル決定部４１５に出力する。
【０１３６】
受信品質判定部４１３は、メジャメントレポート結果に基づいて、メジャメント候補セルの受信品質（例えば、ＲＳＲＰ）を判定する。受信品質判定部４１３は、判定した受信品質をＣｏＭＰ候補セル決定部４１５に出力する。
【０１３７】
ＣＱＩ判定部４１４は、上り／下りリンクの受信品質を判定する。ＣＱＩ判定部４１４は、判定した上り／下りリンクの受信品質をスケジューラ４１７に出力する。
【０１３８】
ＣｏＭＰ候補セル決定部４１５は、ユーザ端末１０の端末能力及びメジャメント候補セルの受信品質に基づいて、メジャメント候補セルの中からＣｏＭＰ候補セルを決定する。なお、ＣｏＭＰ候補セルには、ＣｏＭＰ送信（ＤＰＳ）において送信ポイントとなる個々の協調セル、並びに、ＣｏＭＰ送信（ＪＴ）においてジョイント送信する複数セルの組み合わせを示すＣｏＭＰセットが含まれる。ＣｏＭＰ候補セル決定部４１５は、決定したＣｏＭＰ候補セルをテーブル生成部４１６に出力する。
【０１３９】
テーブル生成部４１６は、ＣｏＭＰ候補セルに基づいてレートマッチングテーブルを生成する。この場合、テーブル生成部４１６は、図６に示すレートマッチングテーブル等を生成する。そして、生成したレートマッチングテーブルを、バックホール通信部４０１、上位制御情報生成部４０２及びスケジューラ４１７に出力する。
【０１４０】
スケジューラ４１７は、ユーザ端末１０からフィードバックされたＣＱＩに基づいて、ＣｏＭＰ候補セルの中から、ユーザ端末１０に共有データチャネル（ＰＤＳＣＨ）を送信するＣｏＭＰ送信セルを決定する。この際、スケジューラ４１７は、ＣｏＭＰ送信形態も決定する。また、スケジューラ４１７は、決定したＣｏＭＰ送信セルのサブフレームが、ＭＢＳＦＮサブフレーム又はＮｅｗ  ｃａｒｒｉｅｒタイプサブフレームであるかを判定する。例えば、ＭＢＳＦＮサブフレームであるか否かの判定は、別のＭｕｌｔｉ−ｃｅｌｌ／ｍｕｌｔｉｃａｓｔ  ＭＢＳＦＮ  Ｅｎｔｉｔｙの内容で判定される。この判定結果及びレートマッチングテーブルの登録情報に基づいて、スケジューラ４１７は、ＣｏＭＰ送信形態に応じたレートマッチングパターンを選択する。そして、スケジューラ４１７は、そのレートマッチングパターンを示すＣＩＦを下り制御情報生成部４０４に指示する。
【０１４１】
このように本実施の形態に係る基地局装置２０によれば、テーブル生成部４１６でＣｏＭＰ送信形態に対応するレートマッチングパターンが、ＣＩＦを構成するビット情報に関連付けられたレートマッチングテーブルが生成される。例えば、生成されたレートマッチングテーブルは、ＲＲＣシグナリングによってユーザ端末１０に通知される。そして、スケジューラ４１７でＣｏＭＰ送信形態に対応するレートマッチングパターンに関連付けられたＣＩＦが選択される。下り制御情報生成部４０４で選択されたＣＩＦを含むＤＣＩが生成され、下りリンクでユーザ端末１０に送信される。これにより、ＣｏＭＰ送受信技術を適用する場合でも、レートマッチングに必要な情報を効率的にシグナリングすることが可能となる。
【０１４２】
なお、図１９に示す機能ブロックにおいては、レートマッチングテーブル４１６がスケジューラ４１７によるスケジューリング前に生成される場合について説明している。しかしながら、スケジューリング後にレートマッチングテーブルを生成することもできる。この場合、スケジューラ４１７は、ＣｏＭＰ候補セル決定部４１５からＣｏＭＰ候補セルを受け取る。そして、このＣｏＭＰ候補セル及びＣＱＩからスケジューリングを行う。そして、そのスケジューリング結果等をテーブル生成部４１６に出力する。
【０１４３】
テーブル生成部４１６においては、スケジューリング結果等に基づいてレートマッチングテーブルを生成する。この場合、テーブル生成部４１６は、図８に示すレートマッチングテーブル等を生成する。そして、生成したレートマッチングテーブルを、バックホール通信部４０１、上位制御情報生成部４０２及びスケジューラ４１７に出力する。この場合には、スケジューリング結果を反映してレートマッチングテーブルを生成できるので、レートマッチングテーブルの情報量を低減できる。これにより、ユーザ端末１０に通知する際の情報伝送量を低減でき、システムのスループット特性を改善することが可能となる。
【０１４４】
次に、図２０を参照して、本実施の形態に係るユーザ端末１０の機能ブロックについて説明する。なお、図２０の各機能ブロックは、主に図１８に示すベースバンド信号処理部１０４に関するものである。また、図２０に示す機能ブロックは、本発明を説明するために簡略化したものであり、ベースバンド信号処理部１０４において通常備える構成は備えるものとする。
【０１４５】
ユーザ端末１０は、受信側において、ＣＰ除去部３０１と、ＦＦＴ部３０２と、下りチャネル分離部３０３と、下り制御情報受信部３０４と、下り送信データ受信部３０５と、干渉信号推定部３０６と、チャネル推定部３０７と、ＣＱＩ測定部３０８とを備えている。
【０１４６】
基地局装置２０から送出された送信信号は、図１８に示す送受信アンテナ１０１により受信され、ＣＰ除去部３０１に出力される。ＣＰ除去部３０１は、受信信号からＣＰを除去し、ＦＦＴ部３０２に出力する。ＦＦＴ部３０２は、ＣＰ除去後の信号を高速フーリエ変換（ＦＦＴ：Ｆａｓｔ  Ｆｏｕｒｉｅｒ  Ｔｒａｎｓｆｏｒｍ）し、時間領域の信号から周波数領域の信号に変換する。ＦＦＴ部３０２は、周波数領域の信号に変換された信号を下りチャネル分離部３０３に出力する。
【０１４７】
下りチャネル分離部３０３は、下りチャネル信号を、下り制御情報、下り送信データ、参照信号（ＲＳ）に分離する。下りチャネル分離部３０３は、下り制御情報を下り制御情報受信部３０４に出力し、下り送信データ及び上位制御情報を下り送信データ受信部３０５に出力し、干渉測定用ＲＳを干渉信号推定部３０６に出力し、希望信号測定用ＲＳをチャネル推定部３０７に出力する。
【０１４８】
下り制御情報受信部３０４は、下りリンク制御情報（ＤＣＩ）を復調し、復調されたＤＣＩを下り送信データ受信部３０５に出力する。下り送信データ受信部３０５は、復調されたＤＣＩを用いて下り送信データを復調する。この場合、下り制御情報受信部３０４は、特定セルから受信したＰＤＣＣＨに含まれるＤＣＩのＣＩＦに組み込まれているレートマッチングパターンを、レートマッチングテーブルを用いて分析し、ＣＩＦのビット情報からレートマッチングパターンを特定する判定部として機能する。なお、レートマッチングテーブルは、下り送信データに含まれる上位制御情報から取得する。また、下り送信データ受信部３０５は、特定されたレートマッチングパターンに基づいてレートマッチングを行うレートマッチング部として機能する。
【０１４９】
下り送信データ受信部３０５は、下り送信データに含まれる上位制御情報を干渉信号推定部３０６、チャネル推定部３０７に出力する。なお、下り送信データ受信部３０５は、上位制御情報に含まれるレートマッチングテーブルを取得し、レートマッチング実行時に参照する。
【０１５０】
干渉信号推定部３０６は、ＣＲＳ、ＣＳＩ−ＲＳなどの下り参照信号を用いて、干渉信号を推定する。干渉信号推定部３０６は、干渉信号の推定を行い、全てのリソースブロックで測定結果を平均化することができる。平均化された干渉信号の推定結果は、ＣＱＩ測定部３０８に通知される。
【０１５１】
チャネル推定部３０７は、上位制御情報（又は下り制御情報）に含まれる送信パラメータ等の情報に基づいて希望信号測定用ＲＥ（ＣＳＩ−ＲＳリソース）を特定し、希望信号測定用ＲＥで希望信号を推定する。
【０１５２】
チャネル推定部３０７は、チャネル推定値をＣＱＩ測定部３０８に通知する。ＣＱＩ測定部３０８は、干渉信号推定部３０６から通知される干渉推定結果、及びチャネル推定部３０７から通知されるチャネル推定結果に基づいてチャネル状態（ＣＱＩ）を算出する。ＣＱＩ測定部３０８で算出されたＣＱＩは、フィードバック情報として基地局装置２０に通知される。
【０１５３】
このように本実施の形態に係るユーザ端末１０によれば、基地局装置２０から、ＣｏＭＰ送信形態に対応するレートマッチングパターンが、ＣＩＦを構成するビット情報に関連付けられたレートマッチングテーブルを受信する。また、レートマッチングパターンに対応するビット情報で構成されるＣＩＦを含むＰＤＣＣＨを受信する。これにより、ユーザ端末１０は、ＰＤＣＣＨのＤＣＩに規定されたＣＩＦから、ＣｏＭＰ送信形態に対応するレートマッチング情報（レートマッチングパターン）を識別できる。この結果、ＣｏＭＰ送受信技術を適用する場合でも、レートマッチングに必要な情報を効率的にシグナリングすることが可能となる。
【０１５４】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【符号の説明】
【０１５５】
１  無線通信システム
１０  ユーザ端末
２０、２０Ａ、２０Ｂ  基地局装置
３０  上位局装置
４０  コアネットワーク
１０１  送受信アンテナ
１０２  アンプ部
１０３  送受信部
１０４  ベースバンド信号処理部
１０５  アプリケーション部
２０１  送受信アンテナ
２０２  アンプ部
２０３  送受信部
２０４  ベースバンド信号処理部
２０５  呼処理部
２０６  伝送路インターフェース
３０１  ＣＰ除去部
３０２  ＦＦＴ部
３０３  下りチャネル分離部
３０４  下り制御情報受信部
３０５  下り送信データ受信部
３０６  干渉信号推定部
３０７  チャネル推定部
３０８  ＣＱＩ測定部
４０１  バックホール通信部
４０２  上位制御情報生成部
４０３  下り送信データ生成部
４０４  下り制御情報生成部
４０５  ＲＳ生成部
４０６  下り送信データ符号化・変調部
４０７  下り制御情報符号化・変調部
４０８  下りチャネル多重部
４０９  ＩＦＦＴ部
４１０  ＣＰ付加部
４１１  受信部
４１２  端末能力判定部
４１３  受信品質判定部
４１４  ＣＱＩ判定部
４１５  ＣｏＭＰ候補セル決定部
４１６  テーブル生成部
４１７  スケジューラ
【図１】
2014007670.tif 000003
【図２】
2014007670.tif 000004
【図３】
2014007670.tif 000005
【図４】
2014007670.tif 000006
【図５】
2014007670.tif 000007
【図６】
2014007670.tif 000008
【図７】
2014007670.tif 000009
【図８】
2014007670.tif 000010
【図９】
2014007670.tif 000011
【図１０】
2014007670.tif 000012
【図１１】
2014007670.tif 000013
【図１２】
2014007670.tif 000014
【図１３】
2014007670.tif 000015
【図１４】
2014007670.tif 000016
【図１５】
2014007670.tif 000017
【図１６】
2014007670.tif 000018
【図１７】
2014007670.tif 000019
【図１８】
2014007670.tif 000020
【図１９】
2014007670.tif 000021
【図２０】
2014007670.tif 000022